(57)【要約】  継続的な基準信号の送信を伴わない展開のための追跡基準信号の設計が説明される。追跡基準信号は、同期信号ブロックから周波数領域において延長されてもよく、同期信号ブロックのシンボル期間のサブセットまたはすべてを占有してもよい。追跡基準信号は、同期信号と同じサブキャリア間隔を有してもよく、周波数領域においてパンクチャリングされてもよい。代わりに、追跡基準信号は、データチャネルにおいてペアにされた基準信号とともに定期的に送信される共通制御基準信号を含んでもよい。共通制御基準信号およびペアにされる基準信号は、制御またはデータの存在とは無関係に送信されてもよい。接続モードまたは長い非連続受信(DRX)サイクルへの移行の後での追跡の改善のために、追跡基準信号を含むスロットが繰り返されてもよく、または追加の追跡基準信号パターンが送信されてもよい。
2020505876.tif 000002
【特許請求の範囲】
【請求項１】
ワイヤレス通信のための方法であって、
基地局との接続モードにあるユーザ機器(UE)によって、第1の送信時間間隔(TTI)のデータ領域において前記基地局によって定期的に送信される追跡基準信号のためのリソースセットを特定するステップであって、前記追跡基準信号が、前記第1のTTIの中のシンボル期間のセットに対する前記UEのためのキャリアのサブキャリアのセットの複数のサブパターンを備え、前記複数のサブパターンが、前記キャリアの帯域幅の第1の部分にわたる、ステップと、
前記特定されたリソースセット上で前記追跡基準信号を受信するステップと、
前記受信された追跡基準信号に少なくとも部分的に基づいて、前記キャリアの周波数追跡および時間追跡を実行するステップと
を備える、方法。
【請求項２】
前記基地局から、前記追跡基準信号のための構成情報を受信するステップをさらに備え、前記構成情報が、前記帯域幅の前記第1の部分、もしくは密度、もしくはパンクチャリングパターン、もしくはサブキャリア間隔、またはこれらの組合せを備え、前記追跡のための前記リソースセットが、前記追跡基準信号のための前記受信された構成情報に少なくとも部分的に基づいて決定される、請求項1に記載の方法。
【請求項３】
前記複数のサブパターンが、同じサブキャリア上で送信されるペアにされたシンボル期間を備える、請求項1に記載の方法。
【請求項４】
前記第1のTTIがダウンリンクTTIを備える、請求項1に記載の方法。
【請求項５】
前記サブキャリアの複数のサブパターンが、前記キャリアの前記帯域幅にわたる、請求項1に記載の方法。
【請求項６】
前記複数のサブパターンが、前記帯域幅の前記第1の部分内の少なくとも1つのサブキャリアによって離隔される、請求項1に記載の方法。
【請求項７】
前記追跡基準信号が、前記キャリアの前記帯域幅の全体にわたって延びる、請求項1に記載の方法。
【請求項８】
アイドルモードから前記接続モードへの前記UEの移行のタイミング、または前記UEのための接続モード非連続受信(CDRX)サイクルのタイミング、または前記複数のTTIのうちの少なくとも1つのインジケータを受信することに少なくとも部分的に基づいて前記基地局から補助的な追跡基準信号を受信するための複数のTTIを特定するステップをさらに備える、請求項1に記載の方法。
【請求項９】
複数のTTIにわたって補助的な追跡基準信号を受信するステップをさらに備え、前記補助的な追跡基準信号が、前記基地局によって定期的に送信される前記追跡基準信号の前記複数のサブパターンと同じ複数のサブパターンを備える、請求項1に記載の方法。
【請求項１０】
第2のTTIにわたって補助的な追跡基準信号を受信するステップをさらに備え、前記補助的な追跡基準信号が第2のサブキャリアのセットのための第2の複数のサブパターンを備え、前記第2の複数のサブパターンが前記キャリアの前記帯域幅の少なくとも一部分にわたり、前記第2の複数のサブパターンのうちの少なくとも1つが、前記基地局によって定期的に送信される前記追跡基準信号の前記複数のサブパターンと異なる、請求項1に記載の方法。
【請求項１１】
前記第2のTTIにおける前記補助的な追跡基準信号の密度が、前記第1のTTIにおける前記追跡基準信号の前記密度より高い、請求項10に記載の方法。
【請求項１２】
第2のTTIのデータ領域において前記基地局によって定期的に送信される前記追跡基準信号のための第2のリソースセットを特定するステップであって、前記第2のリソースセットが前記第2のTTIの中の前記サブキャリアのセットの前記複数のサブパターンを備える、ステップと、
前記特定された第2のリソースセット上で前記追跡基準信号を受信するステップと
をさらに備え、
前記キャリアの前記周波数追跡および時間追跡が、前記第1のTTIの中の前記受信された追跡基準信号および前記第2のTTIの中の前記受信された追跡基準信号に少なくとも一部基づく、
請求項1に記載の方法。
【請求項１３】
複数のTTIにわたって前記追跡基準信号を受信するステップと、
前記複数のTTIにわたって受信される前記追跡基準信号のための追跡ループが収束したことを特定したことに少なくとも部分的に基づいて、前記キャリアの前記周波数追跡および時間追跡を実行するステップと
をさらに備える、請求項1に記載の方法。
【請求項１４】
前記基地局によって定期的に送信される同期ブロックを特定するステップであって、前記同期ブロックが前記第1のTTIの中の前記キャリアの前記帯域幅の第2の部分にわたり、前記帯域幅の前記第2の部分が前記帯域幅の前記第1の部分と重ならない、ステップと、
前記第1のTTIのシンボル期間の前記特定されたセットにおいて、前記同期ブロックの複数の同期信号を受信するステップと
をさらに備える、請求項1に記載の方法。
【請求項１５】
前記同期ブロックが、前記追跡基準信号のための少なくとも前記シンボル期間のセットにおいて送信される、請求項14に記載の方法。
【請求項１６】
前記第1のTTIの制御領域において復調基準信号を受信するステップであって、前記復調基準信号が前記第1のTTIの前記サブキャリアのセットにマッピングされる、ステップと、
前記受信された復調基準信号のための前記サブキャリアのセットに少なくとも部分的に基づいて、前記追跡基準信号のための前記サブキャリアのセットを特定するステップと
をさらに備える、請求項1に記載の方法。
【請求項１７】
ワイヤレス通信のための方法であって、
基地局によって、第1の送信時間間隔(TTI)のデータ領域において追跡基準信号のためのリソースセットを決定するステップであって、前記リソースセットが、前記第1のTTIの中のシンボル期間のセットに対するユーザ機器(UE)のためのキャリアのサブキャリアのセットの複数のサブパターンを備え、前記複数のサブパターンが、前記キャリアの帯域幅の第1の部分にわたる、ステップと、
前記基地局によって定期的に、前記データ領域の中の前記決定されたリソースセット上で前記追跡基準信号を送信するステップと
を備える、方法。
【請求項１８】
前記追跡基準信号のための構成情報を送信するステップをさらに備え、前記構成情報が、前記帯域幅の前記第1の部分、もしくは密度、もしくはパンクチャリングパターン、もしくはサブキャリア間隔、またはこれらの組合せを備える、請求項17に記載の方法。
【請求項１９】
前記複数のサブパターンが、同じサブキャリア上で送信されるペアにされたシンボル期間を備える、請求項17に記載の方法。
【請求項２０】
前記第1のTTIがダウンリンクTTIを備える、請求項17に記載の方法。
【請求項２１】
前記サブキャリアの複数のサブパターンが、前記キャリアの前記帯域幅にわたる、請求項17に記載の方法。
【請求項２２】
前記複数のサブパターンが、前記帯域幅の前記第1の部分内の少なくとも1つのサブキャリアによって離隔される、請求項17に記載の方法。
【請求項２３】
前記追跡基準信号を送信するステップが、
前記UEが接続モードにあることを判定したことに少なくとも部分的に基づいて、前記追跡基準信号を送信するステップ
をさらに備える、請求項17に記載の方法。
【請求項２４】
前記基地局との前記接続モードからアイドルモードへ前記UEが移行したことを判定するステップと、
前記決定に基づいて、少なくとも1つの後続のTTIの間、前記追跡基準信号の送信を抑制するステップと
をさらに備える、請求項23に記載の方法。
【請求項２５】
前記追跡基準信号を送信するステップが、
前記基地局との接続モードにあるUEがないことを判定するステップと、
前記決定に少なくとも部分的に基づいて、前記追跡基準信号の送信を抑制するステップと
を備える、請求項17に記載の方法。
【請求項２６】
複数のTTIにわたって補助的な追跡基準信号を送信するステップをさらに備え、前記補助的な追跡基準信号が、前記基地局によって定期的に送信される前記追跡基準信号の前記複数のサブパターンと同じ複数のサブパターンを備える、請求項17に記載の方法。
【請求項２７】
第2のTTIにわたって補助的な追跡基準信号を送信するステップをさらに備え、前記補助的な追跡基準信号が第2のサブキャリアのセットのための第2の複数のサブパターンを備え、前記第2の複数のサブパターンが前記キャリアの前記帯域幅の少なくとも一部分にわたり、前記第2の複数のサブパターンのうちの少なくとも1つが、前記基地局によって定期的に送信される前記追跡基準信号の前記複数のサブパターンと異なる、請求項17に記載の方法。
【請求項２８】
前記第2のTTIにおける前記補助的な追跡基準信号の密度が、前記第1のTTIにおける前記追跡基準信号の前記密度より高い、請求項27に記載の方法。
【請求項２９】
第2のTTIのデータ領域において前記追跡基準信号のための第2のリソースセットを決定するステップであって、前記第2のリソースセットが前記第2のTTIの中の前記サブキャリアのセットの前記複数のサブパターンを備える、ステップと、
前記基地局によって定期的に、前記決定された第2のリソースセット上で前記追跡基準信号を送信するステップと
をさらに備える、請求項17に記載の方法。
【請求項３０】
前記基地局によって定期的に、前記第1のTTIの中の前記キャリアの前記帯域幅の第2の部分にわたって同期ブロックを送信するステップであって、前記帯域幅の前記第2の部分が前記帯域幅の前記第1の部分と重ならない、ステップと、
前記第1のTTIの前記シンボル期間のセットにおいて、前記同期ブロックの複数の同期信号を送信するステップと
をさらに備える、請求項17に記載の方法。
【請求項３１】
前記同期ブロックが、前記追跡基準信号のための少なくとも前記シンボル期間のセットにおいて送信される、請求項30に記載の方法。
【請求項３２】
前記第1のTTIの制御領域において復調基準信号を送信するステップであって、前記復調基準信号が前記第1のTTIの前記サブキャリアのセットにマッピングされる、ステップと、
前記送信された復調基準信号のための前記サブキャリアのセットに少なくとも部分的に基づいて、前記追跡基準信号のための前記サブキャリアのセットを割り振るステップと
をさらに備える、請求項17に記載の方法。
【請求項３３】
ワイヤレス通信のための装置であって、
基地局との接続モードにあるユーザ機器(UE)によって、第1の送信時間間隔(TTI)のデータ領域において前記基地局によって定期的に送信される追跡基準信号のためのリソースセットを特定するための手段であって、前記追跡基準信号が、前記第1のTTIの中のシンボル期間のセットに対する前記UEのためのキャリアのサブキャリアのセットの複数のサブパターンを備え、前記複数のサブパターンが、前記キャリアの帯域幅の第1の部分にわたる、手段と、
前記特定されたリソースセット上で前記追跡基準信号を受信するための手段と、
前記受信された追跡基準信号に少なくとも部分的に基づいて、前記キャリアの周波数追跡および時間追跡を実行するための手段と
を備える、装置。
【請求項３４】
前記基地局から、前記追跡基準信号のための構成情報を受信するための手段をさらに備え、前記構成情報が、前記帯域幅の前記第1の部分、もしくは密度、もしくはパンクチャリングパターン、もしくはサブキャリア間隔、またはこれらの組合せを備え、前記追跡のための前記リソースセットが、前記追跡基準信号のための前記受信された構成情報に少なくとも部分的に基づいて決定される、請求項33に記載の装置。
【請求項３５】
前記複数のサブパターンが、同じサブキャリア上で送信されるペアにされたシンボル期間を備える、請求項33に記載の装置。
【請求項３６】
前記サブキャリアの複数のサブパターンが、前記キャリアの前記帯域幅にわたる、請求項33に記載の装置。
【請求項３７】
前記複数のサブパターンが、前記帯域幅の前記第1の部分内の少なくとも1つのサブキャリアによって離隔される、請求項33に記載の装置。
【請求項３８】
前記追跡基準信号が、前記キャリアの前記帯域幅の全体にわたって延びる、請求項33に記載の装置。
【請求項３９】
ワイヤレス通信のための装置であって、
基地局によって、第1の送信時間間隔(TTI)のデータ領域において追跡基準信号のためのリソースセットを決定するための手段であって、前記リソースセットが、前記第1のTTIの中のシンボル期間のセットに対するユーザ機器(UE)のためのキャリアのサブキャリアのセットの複数のサブパターンを備え、前記複数のサブパターンが、前記キャリアの帯域幅の第1の部分にわたる、手段と、
前記基地局によって定期的に、前記データ領域の中の前記決定されたリソースセット上で前記追跡基準信号を送信するための手段と
を備える、装置。
【請求項４０】
前記追跡基準信号のための構成情報を送信するための手段をさらに備え、前記構成情報が、前記帯域幅の前記第1の部分、もしくは密度、もしくはパンクチャリングパターン、もしくはサブキャリア間隔、またはこれらの組合せを備える、請求項39に記載の装置。
【請求項４１】
前記複数のサブパターンが、同じサブキャリア上で送信されるペアにされたシンボル期間を備える、請求項39に記載の装置。
【請求項４２】
前記サブキャリアの複数のサブパターンが、前記キャリアの前記帯域幅にわたる、請求項39に記載の装置。
【請求項４３】
前記複数のサブパターンが、前記帯域幅の前記第1の部分内の少なくとも1つのサブキャリアによって離隔される、請求項39に記載の装置。
【請求項４４】
前記追跡基準信号を前記送信するための手段が、
前記UEが接続モードにあることを判定したことに少なくとも部分的に基づいて、前記追跡基準信号を送信するための手段
をさらに備える、請求項39に記載の装置。
【請求項４５】
前記基地局との前記接続モードからアイドルモードへ前記UEが移行したことを判定するための手段と、
前記決定に基づいて、少なくとも1つの後続のTTIの間、前記追跡基準信号の送信を抑制するための手段と
をさらに備える、請求項44に記載の装置。
【請求項４６】
前記追跡基準信号を前記送信するための手段が、
前記基地局との接続モードにあるUEがないことを判定するための手段と、
前記決定に少なくとも部分的に基づいて、前記追跡基準信号の送信を抑制するための手段と
をさらに備える、請求項39に記載の装置。
【請求項４７】
ワイヤレス通信のための装置であって、
プロセッサと、
前記プロセッサと電子通信しているメモリと、
前記メモリに記憶された命令であって、前記装置に、
基地局との接続モードにあるユーザ機器(UE)によって、第1の送信時間間隔(TTI)のデータ領域において前記基地局によって定期的に送信される追跡基準信号のためのリソースセットを特定することであって、前記追跡基準信号が、前記第1のTTIの中のシンボル期間のセットに対する前記UEのためのキャリアのサブキャリアのセットの複数のサブパターンを備え、前記複数のサブパターンが、前記キャリアの帯域幅の第1の部分にわたる、特定することと、
前記特定されたリソースセット上で前記追跡基準信号を受信することと、
前記受信された追跡基準信号に少なくとも部分的に基づいて、前記キャリアの周波数追跡および時間追跡を実行することと
を行わせるように前記プロセッサによって実行可能である、命令と
を備える、装置。
【請求項４８】
ワイヤレス通信のための装置であって、
プロセッサと、
前記プロセッサと電子通信しているメモリと、
前記メモリに記憶された命令であって、前記装置に、
基地局によって、第1の送信時間間隔(TTI)のデータ領域において追跡基準信号のためのリソースセットを決定することであって、前記リソースセットが、前記第1のTTIの中のシンボル期間のセットに対するユーザ機器(UE)のためのキャリアのサブキャリアのセットの複数のサブパターンを備え、前記複数のサブパターンが、前記キャリアの帯域幅の第1の部分にわたる、決定することと
前記基地局によって定期的に、前記データ領域の中の前記決定されたリソースセット上で前記追跡基準信号を送信することと
を行うように前記プロセッサによって実行可能である、命令と
を備える、装置。
【請求項４９】
ワイヤレス通信のためのコードを記憶する非一時的コンピュータ可読記録媒体であって、前記コードが、
基地局との接続モードにあるユーザ機器(UE)によって、第1の送信時間間隔(TTI)のデータ領域において前記基地局によって定期的に送信される追跡基準信号のためのリソースセットを特定することであって、前記追跡基準信号が、前記第1のTTIの中のシンボル期間のセットに対する前記UEのためのキャリアのサブキャリアのセットの複数のサブパターンを備え、前記複数のサブパターンが、前記キャリアの帯域幅の第1の部分にわたる、特定することと、
前記特定されたリソースセット上で前記追跡基準信号を受信することと、
前記受信された追跡基準信号に少なくとも部分的に基づいて、前記キャリアの周波数追跡および時間追跡を実行することと
を行うようにプロセッサによって実行可能である命令を備える、非一時的コンピュータ可読記録媒体。
【請求項５０】
ワイヤレス通信のためのコードを記憶する非一時的コンピュータ可読記録媒体であって、前記コードが、
基地局によって、第1の送信時間間隔(TTI)のデータ領域において追跡基準信号のためのリソースセットを決定することであって、前記リソースセットが、前記第1のTTIの中のシンボル期間のセットに対するユーザ機器(UE)のためのキャリアのサブキャリアのセットの複数のサブパターンを備え、前記複数のサブパターンが、前記キャリアの帯域幅の第1の部分にわたる、決定することと、
前記基地局によって定期的に、前記データ領域の中の前記決定されたリソースセット上で前記追跡基準信号を送信することと
を行うようにプロセッサによって実行可能である命令を備える、非一時的コンピュータ可読記録媒体。
【発明の詳細な説明】
【技術分野】
【０００１】
相互参照
本特許出願は、各々が本出願の譲受人に譲渡された、2017年2月6日に出願された"Tracking Reference Signal for New Radio"と題するLeeらによる米国仮特許出願第62/455,585号、および2018年2月5日に出願された"Tracking Reference Signal for New Radio"と題するLeeらによる米国特許出願第15/888,980号の優先権を主張する。
【０００２】
以下は、全般にワイヤレス通信に関し、より具体的には、New Radio(NR)のための追跡基準信号(TRS:tracking reference signal)に関する。
【背景技術】
【０００３】
ワイヤレス通信システムは、音声、ビデオ、パケットデータ、メッセージング、放送などの様々なタイプの通信コンテンツを提供するために広く展開されている。これらのシステムは、利用可能なシステムリソース(たとえば、時間、周波数、および電力)を共有することによって複数のユーザとの通信をサポートすることが可能であることがある。そのような多元接続システムの例には、符号分割多元接続(CDMA)システム、時分割多元接続(TDMA)システム、周波数分割多元接続(FDMA)システム、および直交周波数分割多元接続(OFDMA)システム、(たとえば、Long Term Evolution(LTE)システム、またはNRシステムがある。ワイヤレス多元接続通信システムは、場合によってはユーザ機器(UE)として知られていることがある、複数の通信デバイスのための通信を各々が同時にサポートする、いくつかの基地局またはアクセスネットワークノードを含むことがある。
【発明の概要】
【発明が解決しようとする課題】
【０００４】
一部のワイヤレス通信システムでは、基地局は、セル取得ならびにキャリアの周波数追跡および時間追跡によりUEを支援するために、キャリアを介して同期信号および基準信号を送信することがある。たとえば、同期信号は、UEがキャリアを介して送信されるセルを検出することを可能にすることがある。同期信号はまた、UEが、キャリアの中心周波数を検出し、送信時間間隔またはシンボルレベルで同期を達成することを可能にすることがある。しかしながら、システム帯域幅にわたる安定した受信および復調のために、UEは、システム帯域幅のより広い部分にわたる基準信号を使用する追跡ループを維持することもある。
【０００５】
一部の基地局は、システム帯域幅にわたる各リソースブロックのリソースのサブセット内で、セル基準信号(CRS)などの基準信号を継続的に送信することがある。基準信号の継続的な送信は、大量の電力を費やすことがあり、場合によっては、特に基地局と関連付けられるセルにUEが接続されていないとき、またはそのようなセルのタイミングをUEが追跡していないとき、リソースの不必要な浪費となることがある。さらに、UEの電力消費は、UEが基準信号の送信を受信している時間の相対的な長さが延びるにつれて、増大することがある。加えて、UEとの通信は、追跡ループが収束するにつれて遅延を受けることがある。したがって、UEに間欠的にサービスするセルに対して安定した時間追跡をサポートすることは、基地局とUEの両方における電力管理に課題をもたらすことがある。
【課題を解決するための手段】
【０００６】
説明される技法は、new radio(NR)のための追跡基準信号(TRS)をサポートする改善された方法、システム、デバイス、または装置に関する。一般に、説明される技法は、TRSが同期信号ブロックから周波数領域において拡張されることを可能にする。TRSは、同期信号ブロックのシンボル期間のサブセットまたはすべてを占有してもよく、同期信号ブロック内の同期信号と同じサブキャリア間隔を有してもよい。いくつかの場合、TRSは、周波数領域においてパンクチャリングされてもよい。代わりに、TRSは、送信時間間隔(TTI)内の制御領域において定期的に送信され、データチャネルにおいて送信される基準信号とペアにされる、共通制御基準信号を含んでもよい。共通制御基準信号およびペアにされる基準信号は、制御またはデータの存在とは無関係に送信されてもよい。いくつかの例では、TRSを含むTTIが繰り返されてもよく、または追加のTRSパターンが送信されてもよい。
【０００７】
ワイヤレス通信の方法が説明される。本方法は、基地局との接続モードにあるユーザ機器(UE)によって、第1のTTIのデータ領域において基地局によって定期的に送信される追跡基準信号のためのリソースセットを特定するステップであって、追跡基準信号が、第1のTTIの中のシンボル期間のセットに対するUEのためのキャリアのサブキャリアのセットの複数のサブパターンを備え、複数のサブパターンが、キャリアの帯域幅の第1の部分にわたる、ステップと、特定されたリソースセット上で追跡基準信号を受信するステップと、受信された追跡基準信号に基づいてキャリアの周波数追跡および時間追跡を実行するステップとを含むことがある。
【０００８】
ワイヤレス通信のための装置が説明される。装置は、基地局との接続モードにあるUEによって、第1のTTIのデータ領域において基地局によって定期的に送信される追跡基準信号のためのリソースセットを特定するための手段であって、追跡基準信号が、第1のTTIの中のシンボル期間のセットに対するUEのためのキャリアのサブキャリアのセットの複数のサブパターンを備え、複数のサブパターンが、キャリアの帯域幅の第1の部分にわたる、手段と、特定されたリソースセット上で追跡基準信号を受信する手段と、受信された追跡基準信号に基づいてキャリアの周波数追跡および時間追跡を実行する手段とを含むことがある。
【０００９】
ワイヤレス通信のための別の装置が説明される。装置は、プロセッサ、プロセッサと電子通信しているメモリ、およびメモリに記憶された命令を含んでもよい。命令は、プロセッサに、基地局との接続モードにあるUEによって、第1のTTIのデータ領域において基地局によって定期的に送信される追跡基準信号のためのリソースセットを特定させ、追跡基準信号が、第1のTTIの中のシンボル期間のセットに対するUEのためのキャリアのサブキャリアのセットの複数のサブパターンを備え、複数のサブパターンが、キャリアの帯域幅の第1の部分にわたり、特定されたリソースセット上で追跡基準信号を受信させ、受信された追跡基準信号に基づいてキャリアの周波数追跡および時間追跡を実行させるように動作可能であってもよい。
【００１０】
ワイヤレス通信のための非一時的コンピュータ可読媒体が説明される。非一時的コンピュータ可読媒体は、プロセッサに、基地局との接続モードにあるUEによって、第1のTTIのデータ領域において基地局によって定期的に送信される追跡基準信号のためのリソースセットを特定させ、追跡基準信号が、第1のTTIの中のシンボル期間のセットに対するUEのためのキャリアのサブキャリアのセットの複数のサブパターンを備え、複数のサブパターンが、キャリアの帯域幅の第1の部分にわたり、特定されたリソースセット上で追跡基準信号を受信させ、受信された追跡基準信号に基づいてキャリアの周波数追跡および時間追跡を実行させるように動作可能な命令を含むことがある。
【００１１】
上で説明された方法、装置、および非一時的コンピュータ可読媒体のいくつかの例はさらに、基地局から追跡基準信号のための構成情報を受信するためのプロセス、特徴、手段、または命令を含むことがあり、構成情報は、帯域幅の第1の部分、もしくは密度、もしくはパンクチャリングパターン、もしくはサブキャリア間隔、またはこれらの組合せを備え、追跡のためのリソースセットは、追跡基準信号のための受信された構成情報に基づいて決定されることがある。
【００１２】
上で説明された方法、装置、および非一時的コンピュータ可読媒体のいくつかの例では、複数のサブパターンは、同じサブキャリア上で送信されるペアにされたシンボル期間を含む。
【００１３】
上で説明された方法、装置、および非一時的コンピュータ可読媒体のいくつかの例では、第1のTTIはダウンリンクTTIを含む。
【００１４】
上で説明された方法、装置、および非一時的コンピュータ可読媒体のいくつかの例では、サブキャリアの複数のサブパターンは、キャリアの帯域幅内のすべてのサブキャリアにわたる。
【００１５】
上で説明された方法、装置、および非一時的コンピュータ可読媒体のいくつかの例では、複数のサブパターンは、帯域幅の第1の部分内の少なくとも1つのサブキャリアによって離隔されてもよい。
【００１６】
上で説明された方法、装置、および非一時的コンピュータ可読媒体のいくつかの例では、追跡基準信号は、キャリアの帯域幅の全体にわたり延びる。
【００１７】
上で説明された方法、装置、および非一時的コンピュータ可読媒体のいくつかの例はさらに、基地局から補助的な追跡基準信号を受信するための複数のTTIを、アイドルモードから接続モードへのUEの移行のタイミング、またはUEのための接続モード非連続受信(CDRX:connected mode discontinuous reception)サイクルのタイミング、または複数のTTIのうちの少なくとも1つのインジケータを受信することに基づいて特定するためのプロセス、特徴、手段、または命令を含むことがある。
【００１８】
上で説明された方法、装置、および非一時的コンピュータ可読媒体のいくつかの例はさらに、複数のTTIにわたって補助的な追跡基準信号を受信するためのプロセス、特徴、手段、または命令を含むことがあり、補助的な追跡基準信号は、基地局によって定期的に送信される追跡基準信号の複数のサブパターンと同じ複数のサブパターンを備える。
【００１９】
上で説明された方法、装置、および非一時的コンピュータ可読媒体のいくつかの例はさらに、第2のTTIにわたって補助的な追跡基準信号を受信するためのプロセス、特徴、手段、または命令を含むことがあり、補助的な追跡基準信号は第2のサブキャリアのセットのための第2の複数のサブパターンを備え、第2の複数のサブパターンはキャリアの帯域幅の少なくとも一部分にわたり、第2の複数のサブパターンのうちの少なくとも1つは、基地局によって定期的に送信される追跡基準信号の複数のサブパターンと異なる。
【００２０】
上で説明された方法、装置、および非一時的コンピュータ可読媒体のいくつかの例では、第2のTTIにおける補助的な追跡基準信号の密度は、第1のTTIにおける追跡基準信号の密度より高くてもよい。
【００２１】
上で説明された方法、装置、および非一時的コンピュータ可読媒体のいくつかの例はさらに、複数のTTIにわたって追跡基準信号を受信するためのプロセス、特徴、手段、または命令を含むことがある。上で説明された方法、装置、および非一時的コンピュータ可読媒体のいくつかの例はさらに、複数のTTIにわたって受信される追跡基準信号のための追跡ループが収束した可能性があることを特定したことに基づいて、キャリアの周波数追跡および時間追跡を実行するためのプロセス、特徴、手段、または命令を含むことがある。
【００２２】
上で説明された方法、装置、および非一時的コンピュータ可読媒体のいくつかの例はさらに、基地局によって定期的に送信される同期ブロックを特定するためのプロセス、特徴、手段、または命令を含むことがあり、同期ブロックは第1のTTIの中のキャリアの帯域幅の第2の部分にわたり、帯域幅の第2の部分は帯域幅の第1の部分と重ならない。上で説明された方法、装置、および非一時的コンピュータ可読媒体のいくつかの例はさらに、第1のTTIのシンボル期間の特定されたセットにおいて同期ブロックの複数の同期信号を受信するためのプロセス、特徴、手段、または命令を含むことがある。
【００２３】
上で説明された方法、装置、および非一時的コンピュータ可読媒体のいくつかの例では、同期ブロックは、追跡基準信号のためのシンボル期間の少なくとも上記のセットにおいて送信されてもよい。
【００２４】
上で説明された方法、装置、および非一時的コンピュータ可読媒体のいくつかの例はさらに、第1のTTIの制御領域において復調基準信号を受信するためのプロセス、特徴、手段、または命令を含むことがあり、復調基準信号は第1のTTIのサブキャリアのセットにマッピングされる。上で説明された方法、装置、および非一時的コンピュータ可読媒体のいくつかの例はさらに、受信された復調基準信号のためのサブキャリアのセットに基づいて、追跡基準信号のためのサブキャリアのセットを特定するためのプロセス、特徴、手段、または命令を含むことがある。
【００２５】
ワイヤレス通信の方法が説明される。本方法は、基地局によって、第1のTTIのデータ領域における追跡基準信号のためのリソースセットを決定するステップであって、リソースセットが、第1のTTIの中のシンボル期間のセットに対するUEのためのキャリアのサブキャリアのセットの複数のサブパターンを備え、複数のサブパターンが、キャリアの帯域幅の第1の部分にわたる、ステップと、基地局によって定期的に、データ領域における決定されたリソースセット上で追跡基準信号を送信するステップとを含むことがある。
【００２６】
ワイヤレス通信のための装置が説明される。装置は、基地局によって、第1のTTIのデータ領域における追跡基準信号のためのリソースセットを決定するための手段であって、リソースセットが、第1のTTIの中のシンボル期間のセットに対するUEのためのキャリアのサブキャリアのセットの複数のサブパターンを備え、複数のサブパターンが、キャリアの帯域幅の第1の部分にわたる、手段と、基地局によって定期的に、データ領域における決定されたリソースセット上で追跡基準信号を送信するための手段とを含むことがある。
【００２７】
ワイヤレス通信のための別の装置が説明される。装置は、プロセッサ、プロセッサと電子通信しているメモリ、およびメモリに記憶された命令を含んでもよい。命令は、プロセッサに、基地局によって、第1のTTIのデータ領域における追跡基準信号のためのリソースセットを決定させ、リソースセットが、第1のTTIの中のシンボル期間のセットに対するUEのためのキャリアのサブキャリアのセットの複数のサブパターンを備え、複数のサブパターンが、キャリアの帯域幅の第1の部分にわたり、基地局によって定期的に、データ領域における決定されたリソースセット上で追跡基準信号を送信させるように動作可能であってもよい。
【００２８】
ワイヤレス通信のための非一時的コンピュータ可読媒体が説明される。非一時的コンピュータ可読媒体は、プロセッサに、基地局によって、第1のTTIのデータ領域における追跡基準信号のためのリソースセットを決定させ、リソースセットが、第1のTTIの中のシンボル期間のセットに対するUEのためのキャリアのサブキャリアのセットの複数のサブパターンを備え、複数のサブパターンが、キャリアの帯域幅の第1の部分にわたり、基地局によって定期的に、データ領域における決定されたリソースセット上で追跡基準信号を送信させるように動作可能な命令を含むことがある。
【００２９】
上で説明された方法、装置、および非一時的コンピュータ可読媒体のいくつかの例はさらに、追跡基準信号のための構成情報を送信するためのプロセス、特徴、手段、または命令を含むことがあり、構成情報は、帯域幅の第1の部分、もしくは密度、もしくはパンクチャリングパターン、もしくはサブキャリア間隔、またはこれらの組合せを備える。
【００３０】
上で説明された方法、装置、および非一時的コンピュータ可読媒体のいくつかの例では、複数のサブパターンは、同じサブキャリア上で送信されるペアにされたシンボル期間を含む。
【００３１】
上で説明された方法、装置、および非一時的コンピュータ可読媒体のいくつかの例では、第1のTTIはダウンリンクTTIを含む。
【００３２】
上で説明された方法、装置、および非一時的コンピュータ可読媒体のいくつかの例では、サブキャリアの複数のサブパターンは、キャリアの帯域幅内のすべてのサブキャリアにわたる。
【００３３】
上で説明された方法、装置、および非一時的コンピュータ可読媒体のいくつかの例では、複数のサブパターンは、帯域幅の第1の部分内の少なくとも1つのサブキャリアによって離隔されてもよい。
【００３４】
上で説明された方法、装置、および非一時的コンピュータ可読媒体のいくつかの例では、追跡基準信号を送信することはさらに、UEが接続モードにある可能性があると判定したことに基づいて、追跡基準信号を送信することを含む。
【００３５】
上で説明された方法、装置、および非一時的コンピュータ可読媒体のいくつかの例はさらに、基地局との接続モードからアイドルモードにUEが移行した可能性があることを判定するためのプロセス、特徴、手段、または命令を含むことがある。上で説明された方法、装置、および非一時的コンピュータ可読媒体のいくつかの例はさらに、この決定に基づいて、少なくとも1つの後続のTTIの間、追跡基準信号の送信を抑制するためのプロセス、特徴、手段、または命令を含むことがある。
【００３６】
上で説明された方法、装置、および非一時的コンピュータ可読媒体のいくつかの例では、追跡基準信号を送信することは、基地局との接続モードにあるUEがないことを判定することを含む。上で説明された方法、装置、および非一時的コンピュータ可読媒体のいくつかの例はさらに、この決定に基づいて、追跡基準信号の送信を抑制するためのプロセス、特徴、手段、または命令を含むことがある。
【００３７】
上で説明された方法、装置、および非一時的コンピュータ可読媒体のいくつかの例はさらに、複数のTTIにわたって補助的な追跡基準信号を送信するためのプロセス、特徴、手段、または命令を含むことがあり、補助的な追跡基準信号は、基地局によって定期的に送信される追跡基準信号の複数のサブパターンと同じ複数のサブパターンを備える。
【００３８】
上で説明された方法、装置、および非一時的コンピュータ可読媒体のいくつかの例はさらに、第2のTTIにわたって補助的な追跡基準信号を送信するためのプロセス、特徴、手段、または命令を含むことがあり、補助的な追跡基準信号は第2のサブキャリアのセットのための第2の複数のサブパターンを備え、第2の複数のサブパターンはキャリアの帯域幅の少なくとも一部分にわたり、第2の複数のサブパターンのうちの少なくとも1つは、基地局によって定期的に送信される追跡基準信号の複数のサブパターンと異なる。
【００３９】
上で説明された方法、装置、および非一時的コンピュータ可読媒体のいくつかの例では、第2のTTIにおける補助的な追跡基準信号の密度は、第1のTTIにおける追跡基準信号の密度より高くてもよい。
【００４０】
上で説明された方法、装置、および非一時的コンピュータ可読媒体のいくつかの例はさらに、基地局によって定期的に、第1のTTIの中のキャリアの帯域幅の第2の部分にわたって同期ブロックを送信するためのプロセス、特徴、手段、または命令を含むことがあり、帯域幅の第2の部分は帯域幅の第1の部分と重ならない。上で説明された方法、装置、および非一時的コンピュータ可読媒体のいくつかの例はさらに、第1のTTIのシンボル期間のセットにおいて同期ブロックの複数の同期信号を送信するためのプロセス、特徴、手段、または命令を含むことがある。
【００４１】
上で説明された方法、装置、および非一時的コンピュータ可読媒体のいくつかの例では、同期ブロックは、追跡基準信号のためのシンボル期間の少なくとも上記のセットにおいて送信されてもよい。
【００４２】
上で説明された方法、装置、および非一時的コンピュータ可読媒体のいくつかの例はさらに、第1のTTIの制御領域において復調基準信号を送信するためのプロセス、特徴、手段、または命令を含むことがあり、復調基準信号は第1のTTIのサブキャリアのセットにマッピングされる。上で説明された方法、装置、および非一時的コンピュータ可読媒体のいくつかの例はさらに、送信された復調基準信号のためのサブキャリアのセットに基づいて、追跡基準信号のためのサブキャリアのセットを割り振るためのプロセス、特徴、手段、または命令を含むことがある。
【図面の簡単な説明】
【００４３】
【図１】本開示の態様による、New Radio(NR)のための追跡基準信号(TRS)をサポートする、ワイヤレス通信のためのシステムの例を示す図である。
【図２】本開示の態様による、NRのためのTRSをサポートするワイヤレス通信システムの例を示す図である。
【図３】本開示の態様による、NRのためのTRSをサポートするリソース割振り方式の例を示す図である。
【図４】本開示の態様による、NRのためのTRSをサポートするリソース割振り方式の例を示す図である。
【図５】本開示の態様による、NRのためのTRSをサポートするプロセスフローの例を示す図である。
【図６】本開示の態様による、NRのためのTRSをサポートするデバイスのブロック図である。
【図７】本開示の態様による、NRのためのTRSをサポートするデバイスのブロック図である。
【図８】本開示の態様による、NRのためのTRSをサポートするデバイスのブロック図である。
【図９】本開示の態様による、NRのためのTRSをサポートするUEを含むシステムのブロック図である。
【図１０】本開示の態様による、NRのためのTRSをサポートするデバイスのブロック図である。
【図１１】本開示の態様による、NRのためのTRSをサポートするデバイスのブロック図である。
【図１２】本開示の態様による、NRのためのTRSをサポートするデバイスのブロック図である。
【図１３】本開示の態様による、NRのためのTRSをサポートする基地局を含むシステムのブロック図である。
【図１４】本開示の態様による、NRのためのTRSの方法を示す図である。
【図１５】本開示の態様による、NRのためのTRSの方法を示す図である。
【図１６】本開示の態様による、NRのためのTRSの方法を示す図である。
【図１７】本開示の態様による、NRのためのTRSの方法を示す図である。
【図１８】本開示の態様による、NRのためのTRSの方法を示す図である。
【図１９】本開示の態様による、NRのためのTRSの方法を示す図である。
【図２０】本開示の態様による、NRのためのTRSの方法を示す図である。
【図２１】本開示の態様による、NRのためのTRSの方法を示す図である。
【発明を実施するための形態】
【００４４】
Long Term Evolution (LTE)システムまたはNew Radio (NR)システムなどのワイヤレス通信システムの中のユーザ機器(UE)は、基地局によって送信される基準信号を使用して時間追跡および周波数追跡を実行することがある。UEは、精密な時間追跡および周波数追跡の測定結果を取得するために、基準信号の継続的または定期的な送信に頼ることがある。いくつかの場合には(たとえば、基地局によって消費されるエネルギーを減らすために)、一部の基準信号の送信がまばらであり、または定期的ではない(たとえば、非定期的である)ことがあるので、UEは、時間追跡および周波数追跡のためにそのような送信に頼ることがもはや可能ではないことがある。
【００４５】
したがって、本開示によれば、追跡基準信号(TRS)は、セル取得のために使用される同期ブロックと同時に基地局によって送信されてもよい。TRSは、同期ブロックにおいて送信される信号と同じサブキャリア間隔を使用して送信されてもよく、いくつかの場合、同期ブロックと同じ数のシンボルにわたってもよい。いくつかの例は、周波数領域におけるTRSのパンクチャリングを提供し、UEが基地局との接続モードにあるときに基地局によってのみ送信されてもよい。
【００４６】
本開示の態様は、最初にワイヤレス通信システムの文脈で説明される。本開示の態様は、ワイヤレス通信のためのリソース割振り方式およびプロセスフローの文脈でも説明される。本開示の態様はさらに、NRのためのTRSに関する装置図、システム図、およびフローチャートによってさらに示され、それらを参照して説明される。
【００４７】
図1は、本開示の様々な態様による、ワイヤレス通信システム100の例を示す。ワイヤレス通信システム100は、基地局105と、UE115と、コアネットワーク130とを含む。いくつかの例では、ワイヤレス通信システム100は、LTE、LTE-Advanced(LTE-A)、またはNRネットワークであってもよい。いくつかの場合、ワイヤレス通信システム100は、拡張ブロードバンド通信、超高信頼(すなわち、ミッションクリティカル)通信、低レイテンシ通信、および低コストかつ低複雑度のデバイスとの通信をサポートすることがある。いくつかの例では、基地局105は、周波数追跡および時間追跡を実行するためにUEによって使用されることがあるTRSを送信することがある。
【００４８】
基地局105は、1つまたは複数の基地局アンテナを介してUE115とワイヤレスに通信することがある。各基地局105は、それぞれの地理的カバレッジエリア110に通信カバレッジを提供することがある。ワイヤレス通信システム100に示される通信リンク125は、UE115から基地局105へのアップリンク(UL)送信、または基地局105からUE115へのダウンリンク(DL)送信を含むことがある。制御情報およびデータは、様々な技法に従ってアップリンクチャネルまたはダウンリンク上で多重化されてもよい。制御情報およびデータは、たとえば、時分割多重化(TDM)技法、周波数分割多重化(FDM)技法、またはハイブリッドTDM-FDM技法を使用して、ダウンリンクチャネル上で多重化されてもよい。いくつかの例では、ダウンリンクチャネルのTTIの間に送信される制御情報は、カスケード方式で異なる制御領域の間に(たとえば、共通制御領域と1つまたは複数のUE固有制御領域との間に)分散されることがある。
【００４９】
UE115は、ワイヤレス通信システム100全体にわたって分散していることがあり、各UE115は固定式または移動式であってもよい。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、移動加入者局、アクセス端末、モバイル端末、ワイヤレス端末、リモート端末、ハンドセット、ユーザエージェント、モバイルクライアント、クライアント、または何らかの他の好適な用語で呼ばれることもある。UE115は、携帯電話、携帯情報端末(PDA)、ワイヤレスモデム、ワイヤレス通信デバイス、ハンドヘルドデバイス、タブレットコンピュータ、ラップトップコンピュータ、コードレス電話、パーソナル電子デバイス、ハンドヘルドデバイス、パーソナルコンピュータ、ワイヤレスローカルループ(WLL)局、Internet of things(IoT)デバイス、Internet of Everything(IoE)デバイス、マシンタイプ通信(MTC)デバイス、家電製品、自動車などであってもよい。
【００５０】
いくつかの場合、UE115はまた、(たとえば、ピアツーピア(P2P)プロトコルまたはデバイスツーデバイス(D2D)プロトコルを使用して)他のUEと直接通信することが可能であってもよい。D2D通信を利用するUE115のグループのうちの1つまたは複数は、セルのカバレッジエリア110内にあることがある。そのようなグループの中の他のUE115は、セルのカバレッジエリア110の外にあり、またはそうでなければ基地局105から送信を受信することが不可能であることがある。いくつかの場合、D2D通信を介して通信するUE115のグループは、各UE115がグループの中の他のすべてのUE115に送信する1対多(1:M)システムを利用してもよい。いくつかの場合、基地局105は、D2D通信のためのリソースのスケジューリングを円滑にする。他の場合、D2D通信は、基地局105とは無関係に行われる。
【００５１】
MTCデバイスまたはIoTデバイスなどのいくつかのUE115は、低コストまたは低複雑度のデバイスであってもよく、機械間の自動化された通信、すなわちマシンツーマシン(M2M)通信を提供してもよい。M2MまたはMTCは、人が介在することなくデバイスが互いとまたは基地局と通信することを可能するデータ通信技術を指すことがある。たとえば、M2MまたはMTCは、センサまたはメーターを組み込んで情報を測定または捕捉し、その情報を利用することができる中央サーバまたはアプリケーションプログラムにその情報を中継する、またはプログラムもしくはアプリケーションと対話する人間に情報を提示する、デバイスからの通信を指すことがある。いくつかのUE115は、情報を収集するように、または機械の自動化された動作を可能にするように設計されてもよい。MTCデバイスの用途の例には、スマートメータリング、在庫モニタリング、水位モニタリング、機器モニタリング、医療モニタリング、野生生物モニタリング、天候および地質学的事象モニタリング、船団管理および追跡、リモートセキュリティ検知、物理的アクセス制御、ならびに取引ベースのビジネス課金がある。
【００５２】
いくつかの場合、MTCデバイスは、低減されたピークレートで半二重(一方向)通信を使用して動作してもよい。MTCデバイスはまた、アクティブ通信に関与していないとき、電力節約「ディープスリープ」モードに入るように構成されてもよい。いくつかの場合、MTCまたはIoTデバイスはミッションクリティカル機能をサポートするように設計されることがあり、ワイヤレス通信システムはこれらの機能のために超高信頼性通信を提供するように構成されることがある。
【００５３】
基地局105は、コアネットワーク130と、また互いに通信することがある。たとえば、基地局105は、バックホールリンク132(たとえば、S1など)を通じてコアネットワーク130とインターフェースすることがある。基地局105は、バックホールリンク134(たとえば、X2など)を介して直接、または間接的に(たとえば、コアネットワーク130を通じて)のいずれかで互いに通信することがある。基地局105は、UE115との通信のための無線構成およびスケジューリングを実行することがあり、または基地局コントローラ(図示せず)の制御下で動作することがある。いくつかの例では、基地局105は、マクロセル、スモールセル、ホットスポットなどであってもよい。基地局105は、eNodeB(eNB)105と呼ばれることもある。
【００５４】
基地局105は、S1インターフェースによってコアネットワーク130に接続されてもよい。コアネットワークはevolved packet core (EPC)であってもよく、EPCは、少なくとも1つのモビリティ管理エンティティ(MME)と、少なくとも1つのサービングゲートウェイ(S-GW)と、少なくとも1つのパケットデータネットワーク(PDN)ゲートウェイ(P-GW)とを含んでもよい。MMEは、UE115とEPCとの間のシグナリングを処理する制御ノードであってもよい。すべてのユーザインターネットプロトコル(IP)パケットは、それ自体がP-GWに接続されることがあるS-GWを通じて転送されることがある。P-GWは、IPアドレス割振りならびに他の機能を提供することがある。P-GWは、ネットワーク事業者のIPサービスに接続されることがある。事業者のIPサービスは、インターネット、イントラネット、IPマルチメディアサブシステム(IMS)、およびパケット交換(PS)(PSS)を含むことがある。
【００５５】
コアネットワーク130は、ユーザ認証、アクセス許可、トラッキング、IP接続性、および他のアクセス機能、ルーティング機能、またはモビリティ機能を提供することがある。基地局105などのネットワークデバイスのうちの少なくともいくつかは、アクセスノードコントローラ(ANC)の例であってもよい、アクセスネットワークエンティティなどのサブコンポーネントを含んでもよい。各アクセスネットワークエンティティは、その各々がスマートラジオヘッド、または送受信ポイント(TRP)の例であってもよい、いくつかの他のアクセスネットワーク送信エンティティを通じていくつかのUE115と通信してもよい。いくつかの構成では、各アクセスネットワークエンティティまたは基地局105の様々な機能が、様々なネットワークデバイス(たとえば、ラジオヘッドおよびアクセスネットワークコントローラ)にわたって分散されること、または単一のネットワークデバイス(たとえば、基地局105)に統合されることがある。
【００５６】
同期(たとえば、セル取得)は、同期ソース(たとえば、基地局105)によって送信された同期信号またはチャネルを使用して実行されることがある。基地局は、発見基準信号を含む同期信号ブロックを送信することがある。同期信号は、1次同期信号(PSS)または2次同期信号(SSS)を含むことがある。ワイヤレスネットワークにアクセスしようと試みるUE115は、基地局105からのPSSを検出することによって、初期セル探索を実行することがある。PSSは、スロットタイミングの同期を可能にすることがあり、物理レイヤ識別情報値を示すことがある。PSSは、タイミングおよびセル識別情報(たとえば、物理セル識別子(PCID))の周波数部分を取得するために利用されることがある。次いで、UE115はSSSを受信してもよい。SSSは、無線フレーム同期を可能にすることがあり、セルを識別するために物理レイヤ識別情報値と組み合わされることがあるセル識別情報値を提供することがある。SSSはまた、複信モードおよびサイクリックプレフィックス(CP)長の検出を可能にすることがある。SSSは、完全なPCIDおよび他のシステム情報(たとえば、サブフレームインデックス)を取得するために使用されることがある。物理ブロードキャストチャネル(PBCH)が、取得のために必要とされる追加のシステム情報(たとえば、帯域幅、フレームインデックスなど)を取得するために使用されることがある。いくつかの例では、基地局105は、PSSではなくSSSを、または合成された同期信号を送信してもよい。
【００５７】
PSSおよびSSSを受信した後、UE115は、ブロードキャスト情報のためのダウンリンク物理チャネル(たとえば、PBCH)において送信されることがある、マスター情報ブロック(MIB)を受信することがある。MIBは、システム帯域幅情報、システムフレーム番号(SFN)、および物理ハイブリッド自動再送要求(HARQ)インジケータチャネル(PHICH)構成を含んでもよい。MIBを復号した後、UE115は、1つまたは複数のシステム情報ブロック(SIB)を受信することがある。搬送されるシステム情報のタイプに従って異なるSIBが定義されることがある。SIB1は、セル識別情報などのアクセス情報を含み、UE115がセルにキャンプオンすることが許可されるかどうかを示すことがある。SIB1はまた、セル選択情報(または、セル選択パラメータ)を含む。加えて、SIB1は、他のSIBのためのスケジューリング情報を含む。SIB2は、共通の共有されるチャネルに関するアクセス情報およびパラメータを含む。いくつかの場合、SIB2は、ランダムアクセスチャネル(RACH)手順、ページング、物理アップリンク制御チャネル(PUCCH)、物理アップリンク共有チャネル(PUSCH)、電力制御、サウンディング基準信号(SRS)、およびセル規制に関する、無線リソース制御(RRC)構成情報を含むことがある。SIB3はセル再選択パラメータを含む。SIB4およびSIB5は、近隣のLTEセルについての再選択情報を含む。SIB6からSIB8は、非LTEの近隣セルについての再選択情報を含む。SIB9は、Home eNBの名称を含む。SIB10からSIB12は緊急通知情報(たとえば、津波および地震警報)を含み、SIB13はマルチメディアブロードキャストマルチキャストサービス(MBMS)構成に関する情報を含む。
【００５８】
ワイヤレス通信システム100は、700MHzから2600MHz(2.6GHz)までの周波数帯域を使用する極超高周波(UHF)周波数領域中で動作することがあるが、いくつかの場合、ワイヤレスローカルエリアネットワーク(WLAN)は、4GHz程度の高い周波数を使用することがある。この領域は、波長が約1デシメートルから1メートルの長さに及ぶので、デシメートル帯域として知られることもある。UHF波は、主に見通し線によって伝搬することがあり、建物および環境的な地物によって遮断されることがある。しかしながら、これらの波は、屋内に位置するUE115にサービスを提供するのに十分に壁を貫通することがある。UHF波の送信は、スペクトルの高周波(HF)または超高周波(VHF)部分のより低い周波数(および、より長い波)を使用する送信と比較して、より小型のアンテナおよびより短い距離(たとえば、100km未満)によって特徴付けられる。いくつかの場合、ワイヤレス通信システム100は、スペクトルの極高周波(EHF)部分(たとえば、30GHzから300GHzまで)も利用することがある。この領域は、波長が約1ミリメートルから1センチメートルの長さに及ぶので、ミリメートル帯域として知られることもある。したがって、EHFアンテナは、UHFアンテナよりもさらに小型であり、より間隔が密であってもよい。いくつかの場合、これはUE115内の(たとえば、指向性ビームフォーミングのための)アンテナアレイの使用を容易にすることがある。しかしながら、EHF送信は、UHF送信よりもさらに大きい大気減衰およびより短い距離を受けることがある。
【００５９】
ワイヤレス通信システム100は、UE115と基地局105との間のミリメートル波(mmW)通信をサポートすることがある。mmWまたはEHF帯域で動作するデバイスは、ビームフォーミングを可能にするために複数のアンテナを有することがある。すなわち、基地局105は、複数のアンテナまたはアンテナアレイを使用して、UE115との指向性通信のためのビームフォーミング動作を行うことがある。ビームフォーミング(空間フィルタリングまたは指向性送信と呼ばれることもある)は、アンテナビーム全体をシェーピングし、かつ/またはターゲットレシーバ(たとえば、UE115)の方向にステアリングするために、トランスミッタ(たとえば、基地局105)において使用されることがある信号処理技法である。これは、特定の角度における送信信号が強め合う干渉を受ける一方で、他の角度における送信信号が弱め合う干渉を受けるように、アンテナアレイ内の要素を組み合わせることによって達成されてもよい。
【００６０】
多入力多出力(MIMO)ワイヤレスシステムは、トランスミッタ(たとえば、基地局)とレシーバ(たとえば、UE)との間の送信方式を使用し、トランスミッタとレシーバの両方が、複数のアンテナを備える。ワイヤレス通信システム100のいくつかの部分は、ビームフォーミングを使用することがある。たとえば、基地局105は、基地局105がUE115とのその通信においてビームフォーミングのために使用することがあるアンテナポートのいくつかの行および列を有するアンテナアレイを有することがある。信号は、異なる方向において複数回送信されることがある(たとえば、各送信は、異なるようにビームフォーミングされることがある)。mmWレシーバ(たとえば、UE115)は、同期信号を受信しながら、複数のビーム(たとえば、アンテナサブアレイ)を試すことがある。
【００６１】
いくつかの場合、基地局105またはUE115のアンテナは、ビームフォーミングまたはMIMO動作をサポートすることがある1つまたは複数のアンテナアレイ内に位置することがある。1つまたは複数の基地局アンテナまたはアンテナアレイは、アンテナタワーなどのアンテナアセンブリにおいて一緒に置かれてもよい。いくつかの場合、基地局105と関連付けられるアンテナまたはアンテナアレイは、多様な地理的位置に位置してもよい。基地局105は、UE115との指向性通信のためのビームフォーミング動作を行うために、複数のアンテナまたはアンテナアレイを使用してもよい。
【００６２】
いくつかの場合、ワイヤレス通信システム100は、階層化プロトコルスタックに従って動作するパケットベースネットワークであってもよい。ユーザプレーンでは、ベアラまたはパケットデータコンバージェンスプロトコル(PDCP)レイヤにおける通信は、IPベースであってもよい。無線リンク制御(RLC)レイヤは、いくつかの場合、論理チャネルを介して通信するために、パケットのセグメント化および再アセンブリを実行することがある。媒体アクセス制御(MAC)レイヤは、優先度処理、およびトランスポートチャネルへの論理チャネルの多重化を実行することがある。MACレイヤはまた、MACレイヤにおける再送信を行ってリンク効率を改善するために、ハイブリッドARQ(HARQ)を使用することがある。制御プレーンでは、RRCプロトコルレイヤは、ユーザプレーンデータのための無線ベアラをサポートする、UE115とネットワークデバイス(たとえば、基地局105)またはコアネットワーク130との間のRRC接続の確立、構成、および保守を行うことがある。物理(PHY)レイヤにおいて、トランスポートチャネルが物理チャネルにマッピングされることがある。
【００６３】
LTEまたはNRにおける時間間隔は、(Ts=1/30,720,000秒のサンプリング周期であることがある)基本時間単位の倍数で表されることがある。時間リソースは、0から1023にわたるシステムフレーム番号(SFN)によって識別されることがある、10ms(Tf=307200Ts)の長さの無線フレームに従って編成されることがある。各フレームは、0から9の番号を付けられた10個の1msサブフレームを含むことがある。サブフレームはさらに、2つの0.5msスロットに分割されることがあり、スロットの各々は、(各シンボルの先頭に付加された巡回プレフィックスの長さに応じて)6個または7個の変調シンボル期間を含む。サイクリックプレフィックスを除いて、各シンボルは2048個のサンプル期間を含む。いくつかの場合、サブフレームは、TTIとしても知られる最小のスケジューリング単位であってもよい。他の場合には、TTIは、サブフレームよりも短くてもよく、または(たとえば、短いTTIバーストにおいて、もしくは短いTTIを使用する選択されたコンポーネントキャリアにおいて)動的に選択されてもよい。
【００６４】
リソース要素は、1つのシンボル期間および1つのサブキャリア(たとえば、15kHz周波数範囲)からなることがある。リソースブロックは、周波数領域の中に12個の連続サブキャリアを含むことがあり、各直交周波数分割多重化(OFDM)シンボル中のノーマル巡回プレフィックスについて、時間領域(1スロット)の中に7つの連続OFDMシンボル、すなわち84個のリソース要素を含むことがある。各リソース要素によって搬送されるビット数は、変調方式(各シンボル期間の間に選択されることがあるシンボルの構成)に依存することがある。したがって、UEが受信するリソースブロックが多いほど、また変調方式が高いほどデータレートは高くなることがある。
【００６５】
ワイヤレス通信システム100は、複数のセルまたはキャリア上での動作、すなわちキャリアアグリゲーション(CA)またはマルチキャリア動作と呼ばれることがある機能をサポートすることがある。キャリアはまた、コンポーネントキャリア(CC)、レイヤ、チャネルなどとも呼ばれることがある。「キャリア」、「コンポーネントキャリア」、「セル」、および「チャネル」という用語は、本明細書では互換的に使用されることがある。UE115は、キャリアアグリゲーションのために、複数のダウンリンクCCと1つまたは複数のアップリンクCCとで構成されることがある。キャリアアグリゲーションは、周波数分割複信(FDD)コンポーネントキャリアと時分割複信(TDD)コンポーネントキャリアの両方とともに使用されてもよい。
【００６６】
いくつかの場合、ワイヤレス通信システム100は、拡張コンポーネントキャリア(eCC)を利用することがある。eCCは、より広い帯域幅、より短いシンボル時間長、より短い送信時間間隔(TTI)、および修正された制御チャネル構成を含む、1つまたは複数の特徴によって特徴付けられることがある。いくつかの場合には、eCCは、キャリアアグリゲーション構成またはデュアル接続構成(たとえば、複数のサービングセルが準最適なまたは非理想的なバックホールリンクを有するとき)と関連付けられることがある。eCCはまた、(2つ以上の事業者がスペクトルを使用することを許可された場合)免許不要スペクトルまたは共有スペクトルにおいて使用するために構成されることがある。広い帯域幅によって特徴付けられるeCCは、全帯域幅を監視することが可能でないか、または(たとえば、電力を節約するために)限られた帯域幅を使用することを選好する、UE115によって利用されることがある1つまたは複数のセグメントを含むことがある。
【００６７】
いくつかの場合、eCCは、他のCCとは異なるシンボル時間長を利用することがあり、これは他のCCのシンボル時間長と比較して短縮されたシンボル時間長の使用を含むことがある。より短いシンボル時間長は、サブキャリア間隔の増大と関連付けられることがある。eCC中のTTIは、1つまたは複数のシンボルからなることがある。いくつかの場合、TTI時間長(すなわち、TTI中のシンボルの数)は可変であってもよい。いくつかの場合、eCCは、他のCCとは異なるシンボル時間長を利用することがあり、これは他のCCのシンボル時間長と比較して短縮されたシンボル時間長の使用を含むことがある。より短いシンボル時間長は、サブキャリア間隔の増大と関連付けられる。eCCを利用する、UE115または基地局105などのデバイスが、短縮されたシンボル時間長(たとえば、16.67マイクロ秒)で、広帯域信号(たとえば、20、40、60、80MHzなど)を送信することがある。eCC中のTTIは、1つまたは複数のシンボルからなることがある。いくつかの場合、TTI時間長(すなわち、TTIの中のシンボルの数)は可変であってもよい。
【００６８】
共有無線周波数スペクトル帯域は、NR共有スペクトルシステムにおいて利用されることがある。たとえば、NR共有スペクトルは、とりわけ免許スペクトル、共有スペクトル、および免許不要スペクトルのあらゆる組合せを利用することがある。eCCシンボル持続時間およびサブキャリア間隔の柔軟性により、複数のスペクトルにわたるeCCの使用が可能になることがある。いくつかの例では、NRの共有スペクトルは、特にリソースの動的な垂直方向(たとえば、周波数にわたる)および水平方向(たとえば、時間にわたる)の共有を通じて、スペクトル利用率およびスペクトル効率を向上させることがある。
【００６９】
いくつかの場合、ワイヤレス通信システム100は、免許無線周波数スペクトル帯域と免許不要無線周波数スペクトル帯域の両方を利用してもよい。たとえば、ワイヤレス通信システム100は、5Ghz Industrial, Scientific, and Medical (ISM)バンドなどの免許不要帯域の中で、LTE License Assisted Access (LTE-LAA)もしくはLTE Unlicensed (LTE U)無線アクセス技術またはNR技術を利用することがある。免許不要無線周波数スペクトル帯域において動作するとき、基地局105およびUE115などのワイヤレスデバイスは、データを送信する前にチャネルがクリアであることを保証するためにlisten-before-talk(LBT)手順を利用することがある。いくつかの場合、免許不要帯域における動作は、免許帯域において動作するCCと連携したCA構成に基づくことがある。免許不要スペクトルにおける動作は、ダウンリンク送信、アップリンク送信、または両方を含むことがある。免許不要スペクトルにおける複信は、FDD、TDD、またはその両方の組合せに基づくことがある。
【００７０】
図2は、本開示の様々な態様による、NRのためのTRSをサポートするワイヤレス通信システム200の例を示す。示されるように、ワイヤレス通信システム200は、送信および/または受信のためのビーム205(たとえば、ビーム205-a、ビーム205-b、ビーム205-c、またはビーム205-d)を使用することがある。いくつかの場合、基地局105-aは、各ビーム205が異なる方向に送信されるような、シェーピングされた方式または指向性の方式で、ビーム205(たとえば、基準信号)を使用して複数のビームフォーミングされた信号を送信することがある。たとえば、ビーム205-aは、第1の方向または形状で送信されることがあり、ビーム205-bは、第2の方向または形状において送信されることがある、などである。
【００７１】
いくつかのワイヤレスシステム(たとえば、ワイヤレス通信システム200などのNRワイヤレスシステム)では、UE115-aなどのUE115が、アイドル状態から起動し、ネットワーク内の基地局105-aとの接続状態に入ることがある。基地局105-aは、初期のUE構成のために定期的な同期信号を(たとえば、ビーム205-a、205-b、205-c、および205-dを介して)送信することがある。いくつかの場合、基地局105-aは、同期ブロックまたは同期信号(SS)ブロックにおいて同期信号を送信することがある。同期ブロックは、1つまたは複数のPBCH、PSS、およびSSSを含むことがある。同期ブロックは、時間領域においてシンボル期間のセットに、周波数領域において帯域幅の部分にわたることがある。たとえば、同期ブロックは、時間領域において4個のシンボル期間に、周波数領域において6個のリソースブロック(RB)にわたる帯域幅にわたることがある。UE115-aは、基地局105-aと接続すると、同期ブロックを受信することがあり、同期ブロック内に含まれる情報に基づいて構成プロセスを実行することがある。いくつかの場合、UE115-aは、受信された同期ブロック内の同期信号に基づいて、時間追跡または周波数追跡を実行してもよい。
【００７２】
基地局105-aは、時間追跡または周波数追跡のための同期ブロックに加えて、基準信号を送信することがある。この基準信号はTRSと呼ばれることがある。基地局105-aは、同期ブロックと同じサブキャリア間隔(たとえば、30kHz)でTRSを送信してもよい。いくつかの場合、基地局105-aは、UE115-aが基地局105-aとの接続モードにあることを判定してもよく、UE115-aが接続モードにあるという判定に基づいてTRSを送信してもよい。他の場合には、基地局105-aは、基地局105-aとの接続モードにあるUE115がないと判定することがある。したがって、基地局105-aは、接続モードにあるUE115がないという判定に基づいて、TRSを送信するのを控えることがある。
【００７３】
基地局105-aは、同期ブロックがわたるシンボルの部分を介してTRSを送信してもよい。たとえば、基地局105-aは、同期ブロックの1つまたは複数のPBCHと同じシンボル期間の間にTRSを送信してもよい。別の例では、基地局105-aは、同期ブロックがわたるシンボル期間のセットを介してTRSを送信してもよい。いくつかの場合、基地局105-aは、定期的な同期ブロックの送信の各々とともにTRSを送信してもよい。他の場合には、基地局105-aは、定期的な同期ブロックの送信のサブセットを介して定期的にTRSを送信してもよい。たとえば、基地局105-aは、4回に1回の定期的な同期ブロックの送信とともにTRSを送信してもよい。
【００７４】
基地局105-aは、同期ブロックがわたる帯域幅の部分と重ならない帯域幅の第2の部分においてTRSを送信してもよい。いくつかの場合、帯域幅の第2の部分と帯域幅の第1の部分の集合体は、キャリアの帯域幅全体にわたることがある。他の場合には、帯域幅の第2の部分と帯域幅の第1の部分の集合体は、キャリアの帯域幅のサブセットにわたることがある。いくつかの場合、基地局105-aは、帯域幅の第2の部分内の周波数領域において、各々の連続するサブキャリアの中でTRSを送信してもよい。他の場合には、基地局105-aはパンクチャリングされたTRSパターンを送信することがあり、このパターンでは、基地局105-aは、TRSを送信するサブキャリアの合間に、TRSを送信しないサブキャリアを挟む。たとえば、基地局105-aは少なくとも2つのサブキャリアの複数のセット上でTRSを送信することがあり、ここで、少なくとも2つのサブキャリアの複数のセットの各々は、TRSを伴わない1つまたは複数のサブキャリアによって離隔される。
【００７５】
いくつかの場合、基地局105-aまたはネットワークは、帯域幅、TRS密度(すなわち、帯域幅の第2の部分内のサブキャリアの総数に対する、TRSを搬送するサブキャリアの比率)、パンクチャリングパターン、またはTRS送信の周期性を構成してもよい。
【００７６】
UE115-aは、TRSを受信することがあり、受信されたTRSに基づいて、精密な時間追跡、周波数追跡、または両方を実行することがある。UE115-aは、時間追跡または周波数追跡に基づいて、データ(たとえば、高データレートのデータ送信)を基地局105-aに送信することがある。
【００７７】
いくつかの場合、基地局105-aは、広げられた同期ブロックを送信することがある。たとえば、広げられた同期ブロックは、普通の同期ブロック(たとえば、6個のRBにわたることがある)より広い帯域幅(たとえば、12個のRB)にわたることがある。広げられた同期ブロックのPBCH、PSS、およびSSSは、より広い帯域幅を完全に占有することがある。
【００７８】
いくつかの場合、基地局105-aはTTI内のペアにされたリソースを介してTRSを送信することがあり、ここで、TRSのペアの第1のTRSは共通制御領域において送信され、TRSのペアの第2のTRSはデータ領域において送信される。たとえば、基地局105-aは、共通探索空間または共通制御リソースセットにおいて第1のTRSを送信してもよい。第1のTRSは、制御チャネルの復調のために使用される共通制御基準信号であってもよい。所定の時間間隔(たとえば、所定の数のシンボル期間など)の後で、基地局105-aはデータ領域において第2のTRSを送信することがあり、第2のTRSの各シンボルは共通制御基準信号のシンボルと(対応するサブキャリア上で)ペアにされる。すなわち、共通制御基準信号および第2のTRSのためのサブキャリアマッピングは同じであってもよい。基地局105-aまたはネットワークは、TRSのペアとペアの間の、帯域幅、時間間隔、および周期性を構成してもよい。TRSは、所与のスロットにおいて送信されるべき制御またはデータが存在するかどうかとは無関係に、定期的に送信されてもよい。
【００７９】
いくつかの場合、基地局105-aは、TRSのためのデータ領域内のリソースを割り振ることがある。いくつかの場合、基地局105-aは、帯域幅の部分にわたるTRSの複数のペアを送信することがある。複数のペアにされたTRSシンボルの各ペアは、帯域幅のその部分内の同じ周波数で送信されることがある。基地局105-aは、ダウンリンク送信上の割り振られたリソースにおいてTRSを送信することがある。基地局105-aまたはネットワークは、帯域幅、TRS密度、パンクチャリングパターン、サブキャリア間隔、および周期性を構成してもよい。
【００８０】
いくつかの場合、UE115-aは、(たとえば、アイドルモード(たとえば、RRC_IDLE)から接続モード(RRC_CONNECTED)への移行、長い接続モード非連続受信(CDRX)サイクルの後の起動により、または2次的セルの活動開始の後に)コールドスタートを実行することがある。そのような事例では、基地局105-aは、コールドスタートTRS内で追跡ループを収束させるのに十分なTRSリソースをUE115-aに提供する、所与のTRSパターンに従って1つまたは複数の補助的なコールドスタートTRSを送信することがある。TRSパターンは、TRS送信がUE115-aによって受信されるのに適切な長さの時間を確保するために、複数のスロットにおいて繰り返されてもよい。代わりに、基地局105-aが、密集したTRSパターンの送信のために所与のTTIを指定してもよい。たとえば、複数のTRSが、所与のTTI内で送信されることがあり、TTIのシンボル期間および/またはTTI内のシステム帯域幅のサブキャリアの少なくとも4分の1にマッピングされることがある。いくつかの場合、TRSは、TTIのシンボル期間および/またはTTI内のシステム帯域幅のサブキャリアの少なくとも2分の1にマッピングされることがある。
【００８１】
コールドスタートのためのTRS送信のタイミングは、RRC接続活動状態の遷移、CDRXサイクル、活動開始MAC制御要素(CE)コマンドに対して決定されてもよく、またはUE115-aへのダウンリンク制御情報(DCI)を介して、もしくはグループ共通の物理ダウンリンク制御チャネル(PDCCH)を通じてシグナリングされてもよい。
【００８２】
いくつかの場合、基地局105-aは、ループを機会主義的にトレーニングするために、1つまたは複数のTRSを定期的に送信することがある。この場合、UE115-aにおける追跡ループが完全に収束するまで、復調性能は保証されないことがある。
【００８３】
図3は、本開示の様々な態様による、NRのためのTRSをサポートするTRS送信300の例を示す。図1および図2を参照して説明されるような基地局105または105-aなどの基地局105は、TRS送信300を送信することがある。TRS送信300は同期ブロックを含むことがあり、同期ブロックは1つまたは複数のPBCH320(たとえば、PBCH320-aおよび320-b)、PSS325、およびSSS330を含むことがある。同期ブロックは、時間領域においてシンボル期間305のセット(たとえば、4個のシンボル期間)に、周波数領域において帯域幅の第1の部分310-aにわたることがある。TRS送信300は1つまたは複数のTRS315も含むことがあり、TRS315は、時間領域において同期ブロックがわたるシンボル期間305のセットのサブセットにわたることがあり、周波数領域において帯域幅の第2の部分310-bにわたることがある。帯域幅の第1の部分310-aおよび帯域幅の第2の部分310-bは、相互に排他的であることがある。
【００８４】
基地局は、設定された周期でTRS送信300を送信してもよい。基地局105は、TRS315の送信のために帯域幅の第2の部分310-bを割り振ることがある。基地局105は、帯域幅の第2の部分310-b内のすべてのサブキャリアを介してTRS315を送信することがある。UE115は、TRS送信300を受信することがあり、受信されたTRS315に基づいて精密な周波数追跡または時間追跡を実行することがある。いくつかの場合、狭帯域キャリアは、完全なTRS315の実装形態を利用してもよい。
【００８５】
図4は、本開示の様々な態様による、NRのためのTRSをサポートするパンクチャリングされたTRS送信400の例を示す。図1および図2を参照して説明されるような基地局105または105-aなどの基地局105は、パンクチャリングされたTRS送信400を送信することがある。パンクチャリングされたTRS送信400は同期ブロックを含むことがあり、同期ブロックは1つまたは複数のPBCH320(たとえば、PBCH420-aおよび420-b)、PSS425、およびSSS430を含むことがある。同期ブロックは、時間領域においてシンボル期間405のセット(たとえば、4個のシンボル期間)に、周波数領域において帯域幅の第1の部分410-aにわたることがある。TRS送信400は1つまたは複数のTRS415も含むことがあり、TRS415は、時間領域において同期ブロックがわたるシンボル期間405のセットのサブセットにわたることがあり、周波数領域において帯域幅の第2の部分410-bにわたることがある。帯域幅の第1の部分410-aおよび帯域幅の第2の部分410-bは、相互に排他的であることがある。
【００８６】
基地局105は、パンクチャリングパターンを使用して、帯域幅の第2の部分410-bにおいてTRS415を使用することがある。いくつかの場合、基地局は、パンクチャリングパターンを決定し、パンクチャリングパターンの指示をUE115に送信することがある。他の場合には、基地局105は、所定のパンクチャリングパターンを使用して送信するように構成されてもよい。パンクチャリングパターンを使用してTRS415を送信するとき、基地局105は、1つまたは複数の隣接するサブキャリアの複数のセットを介してTRS415を送信してもよい。複数のセットは、基地局105がTRS415を送信するのを控えることがある1つまたは複数のサブキャリアによって離隔されることがある。基地局105は、帯域幅の第2の部分410-b内のすべてのサブキャリアを介して送信するときにパンクチャリングパターンを使用することによってより少数のリソースを利用することがある。パンクチャリングされたTRS送信400は、50%のパンクチャリングパターンを示す。しかしながら、あらゆる他の形式のパンクチャリングパターンが、TRS415を送信するために基地局105によって実装されてもよい。いくつかの場合、広帯域キャリアは、パンクチャリングされたTRS415の実装形態を利用してもよい。
【００８７】
図5は、本開示の様々な態様による、NRのためのTRSをサポートするプロセスフロー500の例を示す。プロセスフロー500はUE115-cを含んでもよく、UE115-cは、図1および図2を参照して説明されたようなUE115またはUE115-aもしくは115bの例であってもよい。加えて、プロセスフロー500は、図1および図2を参照して上で説明されたような基地局105または基地局105-aの例であってもよい、基地局105-bを含んでもよい。基地局105-bは、UE115-cのための時間追跡および周波数追跡を助けるためにTRSを送信してもよい。
【００８８】
ステップ505において、UE115-cは、(たとえば、接続手順を介して)アイドル状態から基地局105-bとの接続状態に移行してもよい。
【００８９】
ステップ510において、基地局105-bは、UE(たとえば、UE115-c)が基地局105-bとの接続状態にあることを特定してもよい。
【００９０】
ステップ515において、基地局105-bは同期ブロックを送信してもよい。UE115-cが基地局105-bとの接続状態にあることを特定したことに基づいて、基地局105-bは1つまたは複数のTRSも送信してもよい。TRSおよび同期ブロックは、同じシンボル期間内の異なるサブキャリアを占有してもよい。UE115-cは、同期ブロックおよびTRSを受信してもよい。
【００９１】
ステップ520において、UE115-cは、ステップ515においてTRSを受信したことに基づいて、周波数追跡、時間追跡、または両方を実行してもよい。UE115-cは、周波数追跡および時間追跡に基づいて、基地局105-bへの送信のために時間リソースおよび周波数リソースを構成してもよい。
【００９２】
図6は、本開示の様々な態様による、NRのためのTRSをサポートするワイヤレスデバイス605のブロック図600を示す。ワイヤレスデバイス605は、図1、図2、および図5を参照して説明されたようなUE115の態様の例であってもよい。ワイヤレスデバイス605は、レシーバ610、UE追跡マネージャ615、およびトランスミッタ620を含むことがある。ワイヤレスデバイス605はプロセッサも含むことがある。これらのコンポーネントの各々は、(たとえば、1つまたは複数のバスを介して)互いに通信していてよい。
【００９３】
レシーバ610は、パケット、ユーザデータ、または様々な情報チャネル(たとえば、制御チャネル、データチャネル、およびNRのためのTRSに関する情報など)と関連付けられた制御情報などの情報を受信することがある。情報はデバイスの他のコンポーネントに渡されてもよい。レシーバ610は、図9を参照して説明されるトランシーバ935の態様の例であってもよい。
【００９４】
UE追跡マネージャ615は、図9を参照して説明されるUE追跡マネージャ915の態様の例であってもよい。
【００９５】
UE追跡マネージャ615および/またはその様々なサブコンポーネントのうちの少なくともいくつかは、ハードウェア、プロセッサによって実行されるソフトウェア、ファームウェア、またはそれらの任意の組合せで実装されてもよい。プロセッサによって実行されるソフトウェアで実装される場合、UE追跡マネージャ615および/またはその様々なサブコンポーネントのうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェアコンポーネント、または本開示において説明される機能を実行するように設計されたそれらの任意の組合せによって実行されてもよい。
【００９６】
UE追跡マネージャ615および/またはその様々なサブコンポーネントのうちの少なくともいくつかは、機能の一部が1つまたは複数の物理デバイスによって異なる物理的位置において実装されるように分散されることを含め、様々な場所に物理的に位置していてもよい。いくつかの例では、UE追跡マネージャ615および/またはその様々なサブコンポーネントのうちの少なくともいくつかは、本開示の様々な態様による別個の異なるコンポーネントであってもよい。他の例では、UE追跡マネージャ615、および/またはその様々なサブコンポーネントのうちの少なくともいくつかは、限定はされないが、I/Oコンポーネント、トランシーバ、ネットワークサーバ、別のコンピューティングデバイス、本開示で説明される1つまたは複数の他のコンポーネント、または本開示の様々な態様によるそれらの組合せを含む、1つまたは複数の他のハードウェアコンポーネントと組み合わされてもよい。
【００９７】
UE追跡マネージャ615は、基地局との接続モードにあるUEによって、基地局によって定期的に送信される同期ブロックのシンボル期間のセットを特定し、シンボル期間の特定されたセットのセットを介して、サブパターンのセットを含む基準信号を受信してもよく、同期ブロックは、キャリアの帯域幅の第1の部分にわたり、少なくとも1つの同期信号を含み、サブパターンのセットの各々は、少なくとも1つの同期信号と同じサブキャリア間隔を有する少なくとも2つの隣接するサブキャリアにわたり、基準信号は帯域幅の第1の部分と重ならない帯域幅の第2の部分にわたる。UE追跡マネージャ615は、基準信号に基づいてキャリアの周波数追跡および時間追跡を実行してもよい。
【００９８】
いくつかの例では、UE追跡マネージャ615は、基地局との接続モードにあるUEによって、キャリアのTTIの制御チャネルにおいて基地局によって送信される第1の基準信号を受信してもよく、第1の基準信号は、制御チャネルのための復調基準信号であり、キャリアのサブキャリアのセットにマッピングされる。UE追跡マネージャ615はまた、TTIのデータチャネルにおいて第2の基準信号を受信し、第1の基準信号および第2の基準信号に基づいてキャリアの周波数追跡および時間追跡を実行してもよく、第2の基準信号はシンボルのセットを有し、シンボルのセットの各々はサブキャリアのセットのうちの対応する1つにマッピングされる(第1の基準信号のためのサブキャリアのセットおよび第2の基準信号のためのサブキャリアのセットは同じであってもよい)。
【００９９】
加えて、または代わりに、UE追跡マネージャ615は、基地局との接続モードにあるUEによって、第1のTTIのデータ領域において基地局によって定期的に送信されるTRSのためのリソースセットを特定し、特定されたリソースセット上でTRSを受信し、受信されたTRSに基づいてキャリアの周波数追跡および時間追跡を実行してもよく、TRSは、第1のTTIの中のシンボル期間のセットに対するUEのためのキャリアのサブキャリアのセットのサブパターンのセットを含み、サブパターンのセットは、キャリアの帯域幅の第1の部分にわたる。
【０１００】
トランスミッタ620は、デバイスの他のコンポーネントによって生成された信号を送信してもよい。いくつかの例では、トランスミッタ620は、トランシーバモジュールにおいてレシーバ610と一緒に置かれてもよい。たとえば、トランスミッタ620は、図9を参照して説明されるトランシーバ935の態様の例であってもよい。トランスミッタ620は、単一のアンテナを含んでもよく、またはトランスミッタ620は、アンテナのセットを含んでもよい。
【０１０１】
図7は、本開示の様々な態様による、NRのためのTRSをサポートするワイヤレスデバイス705のブロック図700を示す。ワイヤレスデバイス705は、図1、図2、図5、および図6を参照して説明されたようなワイヤレスデバイス605またはUE115の態様の例であってもよい。ワイヤレスデバイス705は、レシーバ710、UE追跡マネージャ715、およびトランスミッタ720を含むことがある。ワイヤレスデバイス705はプロセッサも含むことがある。これらのコンポーネントの各々は、(たとえば、1つまたは複数のバスを介して)互いに通信していてよい。
【０１０２】
レシーバ710は、パケット、ユーザデータ、または様々な情報チャネル(たとえば、制御チャネル、データチャネル、およびNRのためのTRSに関する情報など)と関連付けられた制御情報などの情報を受信することがある。情報はデバイスの他のコンポーネントに渡されてもよい。レシーバ710は、図9を参照して説明されるトランシーバ935の態様の例であってもよい。
【０１０３】
UE追跡マネージャ715は、図9を参照して説明されるUE追跡マネージャ915の態様の例であってもよい。UE追跡マネージャ715はまた、シンボル期間コンポーネント725、基準信号コンポーネント730、および追跡コンポーネント735を含んでもよい。
【０１０４】
シンボル期間コンポーネント725は、基地局との接続モードにあるUEによって、第1のTTIのデータ領域において基地局によって定期的に送信されるTRSのためのリソースセットを特定してもよく、TRSは、第1のTTIの中のシンボル期間のセットに対するUEのためのキャリアのサブキャリアのセットのサブパターンのセットを含み、サブパターンのセットは、キャリアの帯域幅の第1の部分にわたる。いくつかの場合、シンボル期間コンポーネント725は、受信された復調基準信号(DMRS)のためのサブキャリアのセットに基づいて、TRSのためのサブキャリアのセットを特定してもよい。いくつかの場合、サブパターンのセットは、同じサブキャリア上で送信されるペアにされたシンボル期間を含む。いくつかの場合、第1のTTIはダウンリンクTTIを含む。いくつかの場合、サブキャリアのサブパターンのセットは、帯域幅のすべてのサブキャリアにわたることを含め、キャリアの帯域幅にわたる。いくつかの場合、サブパターンのセットは、帯域幅の第1の部分内の少なくとも1つのサブキャリアによって離隔される。いくつかの場合、TRSは、キャリアの帯域幅の全体にわたって延びる。加えて、シンボル期間コンポーネント725は、第2のTTIのデータ領域において基地局によって定期的に送信されるTRSのための第2のリソースセットを特定してもよく、第2のリソースセットは第2のTTIの中のサブキャリアのセットのサブパターンのセットを含む。
【０１０５】
いくつかの例では、シンボル期間コンポーネント725は、基地局との接続モードにあるUEによって、基地局によって定期的に送信される同期ブロックのシンボル期間のセットを特定してもよく、同期ブロックは、キャリアの帯域幅の第1の部分にわたり、少なくとも1つの同期信号を含む。
【０１０６】
基準信号コンポーネント730は、基地局から、TRSのための構成情報を受信し、特定されたリソースセット上でTRSを受信し、TTIのセットにわたって補助的なTRSを受信し、第2のTTIにわたって補助的なTRSを受信し、TTIのセットにわたってTRSを受信してもよく、構成情報は、帯域幅の第1の部分、もしくは密度、もしくはパンクチャリングパターン、もしくはサブキャリア間隔、またはこれらの組合せを含み、追跡のためのリソースセットは、TRSのための受信された構成情報に基づいて決定され、補助的なTRSは、基地局によって定期的に送信されるTRSのサブパターンのセットと同じサブパターンのセットを含み、補助的なTRSは、第2のサブキャリアのセットのサブパターンの第2のセットを含み、サブパターンの第2のセットは、キャリアの帯域幅の少なくとも一部分にわたり、サブパターンの第2のセットのうちの少なくとも1つは、基地局によって定期的に送信されるTRSのサブパターンのセットと異なる。いくつかの場合、第2のTTIにおける補助的なTRSの密度は、第1のTTIにおけるTRSの密度より高い。加えて、基準信号コンポーネント730は、リソースの特定された第2のセット上でTRSを受信してもよい。
【０１０７】
いくつかの例では、基準信号コンポーネント730は、シンボル期間の特定されたセットのセットを介して、サブパターンのセットを含む基準信号を受信してもよく、サブパターンのセットの各々は、少なくとも1つの同期信号と同じサブキャリア間隔を有する少なくとも2つの隣接するサブキャリアにわたり、基準信号は、帯域幅の第1の部分と重ならない帯域幅の第2の部分にわたる。基準信号コンポーネント730は、少なくとも1つの追跡TTIにわたって補助的な基準信号を受信してもよく、補助的な基準信号は、キャリアの帯域幅の少なくとも第2の部分にわたり、TTIのシンボル期間のセットの各々において、基準信号以上のサブパターンのセットの数を有する。基準信号コンポーネント730は、基地局との接続モードにあるUEによって、キャリアのTTIの制御チャネルにおいて基地局によって送信される第1の基準信号を受信し、TTIのデータチャネルにおいて第2の基準信号を受信してもよく、第1の基準信号は、制御チャネルのための復調基準信号であり、キャリアのサブキャリアのセットにマッピングされ、第2の基準信号はシンボルのセットを有し、シンボルのセットの各々はサブキャリアのセットのうちの対応する1つにマッピングされる。いくつかの場合、サブパターンのセットは全体として、帯域幅の第2の部分内のすべてのサブキャリアにわたる。いくつかの場合、サブパターンのセットは、帯域幅の第2の部分内の少なくとも1つのサブキャリアによって離隔される。いくつかの場合、受信することは、同期ブロックのシンボル期間のセットのすべてのシンボル期間に基準信号を受信することを含む。いくつかの場合、基準信号は、キャリアの帯域幅の全体にわたって延びる。
【０１０８】
追跡コンポーネント735は、受信されたTRSに基づいてキャリアの周波数追跡および時間追跡を実行し、TTIのセットにわたって受信されたTRSのための追跡ループが収束したことを特定したことに基づいて、キャリアの周波数追跡および時間追跡を実行してもよい。いくつかの場合、キャリアの周波数追跡および時間追跡は、第1のTTIの中の受信されたTRSおよび第2のTTIの中の受信された追跡基準信号に基づく。
【０１０９】
いくつかの例では、追跡コンポーネント735は、基準信号に基づいてキャリアの周波数追跡および時間追跡を実行し、第1の基準信号および第2の基準信号に基づいてキャリアの周波数追跡および時間追跡を実行してもよい。トランスミッタ720は、デバイスの他のコンポーネントによって生成された信号を送信してもよい。いくつかの例では、トランスミッタ720は、トランシーバモジュールにおいてレシーバ710と一緒に置かれてもよい。たとえば、トランスミッタ720は、図9を参照して説明されるトランシーバ935の態様の例であってもよい。トランスミッタ720は、単一のアンテナを含んでもよく、またはトランスミッタ720は、アンテナのセットを含んでもよい。
【０１１０】
図8は、本開示の様々な態様による、NRのためのTRSをサポートするUE追跡マネージャ815のブロック図800を示す。UE追跡マネージャ815は、図6、図7、および図9を参照して説明されるUE追跡マネージャ615、UE追跡マネージャ715、またはUE追跡マネージャ915の態様の例であってもよい。UE追跡マネージャ815は、シンボル期間コンポーネント820、基準信号コンポーネント825、追跡コンポーネント830、データチャネルコンポーネント835、およびTTIコンポーネント840を含んでもよい。これらのモジュールの各々は、(たとえば、1つまたは複数のバスを介して)互いと直接または間接的に通信してもよい。
【０１１１】
シンボル期間コンポーネント820は、基地局との接続モードにあるUEによって、第1のTTIのデータ領域において基地局によって定期的に送信されるTRSのためのリソースセットを特定し、受信された復調基準信号のためのサブキャリアのセットに基づいて、TRSのためのサブキャリアのセットを特定してもよく、TRSは、第1のTTIの中のシンボル期間のセットに対するUEのためのキャリアのサブキャリアのセットのサブパターンのセットを含み、サブパターンのセットは、キャリアの帯域幅の第1の部分にわたる。いくつかの場合、サブパターンのセットは、同じサブキャリア上で送信されるペアにされたシンボル期間を含む。いくつかの場合、第1のTTIはダウンリンクTTIを含む。いくつかの場合、サブキャリアのサブパターンのセットは、キャリアの帯域幅にわたる。いくつかの場合、サブキャリアのセットは、帯域幅の第1の部分内の少なくとも1つのサブキャリアによって離隔される。いくつかの場合、TRSは、キャリアの帯域幅の全体にわたって延びる。加えて、シンボル期間コンポーネント820は、第2のTTIのデータ領域において基地局によって定期的に送信されるTRSのための第2のリソースセットを特定してもよく、第2のリソースセットは第2のTTIの中のサブキャリアのセットのサブパターンのセットを含む。
【０１１２】
いくつかの例では、シンボル期間コンポーネント820は、基地局との接続モードにあるUEによって、基地局によって定期的に送信される同期ブロックのシンボル期間のセットを特定してもよく、同期ブロックは、キャリアの帯域幅の第1の部分にわたり、少なくとも1つの同期信号を含む。
【０１１３】
基準信号コンポーネント825は、基地局から、TRSのための構成情報を受信し、特定されたリソースセット上でTRSを受信し、TTIのセットを介して補助的なTRSを受信し、第2のTTIにわたって補助的なTRSを受信し、TTIのセットを介してTRSを受信してもよく、構成情報は、帯域幅の第1の部分、もしくは密度、もしくはパンクチャリングパターン、もしくはサブキャリア間隔、またはこれらの組合せを含み、追跡のためのリソースセットは、TRSのための受信された構成情報に基づいて決定され、補助的なTRSは、基地局によって定期的に送信されるTRSのサブパターンのセットと同じサブパターンのセットを含み、補助的なTRSは、第2のサブキャリアのセットのサブパターンの第2のセットを含み、サブパターンの第2のセットは、キャリアの帯域幅の少なくとも一部分にわたり、サブパターンの第2のセットのうちの少なくとも1つは、基地局によって定期的に送信されるTRSのサブパターンのセットと異なる。いくつかの場合、第2のTTIにおける補助的なTRSの密度は、第1のTTIにおけるTRSの密度より高い。加えて、基準信号コンポーネント825は、リソースの特定された第2のセット上でTRSを受信してもよい。
【０１１４】
いくつかの例では、基準信号コンポーネント825は、シンボル期間の特定されたセットのセットを介して、サブパターンのセットを含む基準信号を受信し、少なくとも1つの追跡TTIにわたって補助的な基準信号を受信してもよく、サブパターンのセットの各々は、少なくとも1つの同期信号と同じサブキャリア間隔を有する少なくとも2つの隣接するサブキャリアにわたり、基準信号は、帯域幅の第1の部分と重ならない帯域幅の第2の部分にわたり、補助的な基準信号は、キャリアの帯域幅の少なくとも第2の部分にわたり、TTIのシンボル期間のセットの各々において、基準信号以上のサブパターンのセットの数を有する。基準信号コンポーネント825は、基地局との接続モードにあるUEによって、キャリアのTTIの制御チャネルにおいて基地局によって送信される第1の基準信号を受信し、TTIのデータチャネルにおいて第2の基準信号を受信してもよく、第1の基準信号は、制御チャネルのための復調基準信号であり、キャリアのサブキャリアのセットにマッピングされ、第2の基準信号はシンボルのセットを有し、シンボルのセットの各々はサブキャリアのセットのうちの対応する1つにマッピングされる。いくつかの場合、サブキャリアのセットは全体として、帯域幅の第2の部分内のすべてのサブキャリアにわたる。いくつかの場合、サブキャリアのセットは、帯域幅の第2の部分内の少なくとも1つのサブキャリアによって離隔される。いくつかの場合、受信することは、同期ブロックのシンボル期間のセットのすべてのシンボル期間に基準信号を受信することを含む。いくつかの場合、基準信号は、キャリアの帯域幅の全体にわたって延びる。
【０１１５】
追跡コンポーネント830は、受信されたTRSに基づいてキャリアの周波数追跡および時間追跡を実行し、TTIのセットを介して受信されたTRSのための追跡ループが収束したことを特定したことに基づいて、キャリアの周波数追跡および時間追跡を実行してもよい。いくつかの場合、キャリアの周波数追跡および時間追跡は、第1のTTIの中の受信されたTRSおよび第2のTTIの中の受信された追跡基準信号に基づく。
【０１１６】
いくつかの例では、追跡コンポーネント830は、基準信号に基づいてキャリアの周波数追跡および時間追跡を実行し、第1の基準信号および第2の基準信号に基づいてキャリアの周波数追跡および時間追跡を実行してもよい。
【０１１７】
データチャネルコンポーネント835は、キャリアのデータ割振りを介してデータチャネルを受信してもよく、データチャネルのためのサブキャリアのサブキャリア間隔は、基準信号の少なくとも2つの隣接するサブキャリアのサブキャリア間隔と異なる。
【０１１８】
TTIコンポーネント840は、アイドルモードから接続モードへのUEの移行のタイミング、またはUEのためのCDRXサイクルのタイミング、またはTTIのセットのうちの少なくとも1つのインジケータを受信したことに基づいて、基地局から補助的なTRSを受信するためのTTIのセットを特定し、基地局によって定期的に送信される同期ブロックを特定し、第1のTTIのシンボル期間の特定されたセットにおいて同期ブロックの同期信号のセットを受信し、第1のTTIの制御領域において復調基準信号を受信してもよく、同期ブロックは、第1のTTIにおいてキャリアの帯域幅の第2の部分にわたり、帯域幅の第2の部分は帯域幅の第1の部分と重ならず、復調基準信号は、第1のTTIのサブキャリアのセットにマッピングされる。いくつかの場合、同期ブロックは、TRSのためのシンボル期間の少なくともそのセットにおいて送信される。
【０１１９】
いくつかの例では、TTIコンポーネント840は、アイドルモードから接続モードへのUEの移行のタイミング、UEのためのCDRXサイクル、または少なくとも1つの追跡TTIのインジケータを受信したことに基づいて、少なくとも1つの追跡TTIを特定してもよい。
【０１２０】
図9は、本開示の様々な態様による、NRのためのTRSをサポートするデバイス905を含むシステム900の図を示す。デバイス905は、たとえば、図1、図2、図5、図6、および図7を参照して上で説明されたワイヤレスデバイス605、ワイヤレスデバイス705、またはUE115のコンポーネントの例であるか、またはそれらのコンポーネントを含むことがある。デバイス905は、UE追跡マネージャ915と、プロセッサ920と、メモリ925と、ソフトウェア930と、トランシーバ935と、アンテナ940と、I/Oコントローラ945とを含む、通信を送信および受信するためのコンポーネントを含む、双方向音声およびデータ通信のためのコンポーネントを含んでもよい。これらのコンポーネントは、1つまたは複数のバス(たとえば、バス910)を介して電子通信していてもよい。デバイス905は、1つまたは複数の基地局105とワイヤレスに通信してもよい。
【０１２１】
プロセッサ920は、インテリジェントハードウェアデバイス(たとえば、汎用プロセッサ、DSP、中央処理装置(CPU)、マイクロコントローラ、ASIC、FPGA、プログラマブル論理デバイス、個別ゲートもしくはトランジスタ論理コンポーネント、個別ハードウェアコンポーネント、またはそれらの任意の組合せ)を含んでもよい。いくつかの場合、プロセッサ920は、メモリコントローラを使ってメモリアレイを操作するように構成されてもよい。他の場合には、メモリコントローラはプロセッサ920に統合されてもよい。プロセッサ920は、様々な機能(たとえば、NRのためのTRSをサポートする機能またはタスク)を実行するために、メモリに記憶されたコンピュータ可読命令を実行するように構成されてもよい。
【０１２２】
メモリ925は、ランダムアクセスメモリ(RAM)と読取り専用メモリ(ROM)とを含んでもよい。メモリ925は、実行されると、プロセッサに、本明細書で説明される様々な機能を実行させる命令を含む、コンピュータ可読のコンピュータ実行可能ソフトウェア930を記憶してもよい。いくつかの場合、メモリ925は、とりわけ周辺コンポーネントまたは周辺デバイスとの相互作用などの基本的なハードウェア動作および/またはソフトウェア動作を制御することがある基本入出力システム(BIOS)を含んでもよい。
【０１２３】
ソフトウェア930は、NRのためのTRSをサポートするためのコードを含む、本開示の態様を実装するためのコードを含んでもよい。ソフトウェア930は、システムメモリまたは他のメモリなどの非一時的コンピュータ可読媒体に記憶されてもよい。いくつかの場合、ソフトウェア930は、プロセッサによって直接実行可能ではないことがあるが、(たとえば、コンパイルされ、実行されると)本明細書で説明される機能をコンピュータに実行させることがある。
【０１２４】
トランシーバ935は、上で説明されたような1つまたは複数のアンテナ、有線リンク、またはワイヤレスリンクを介して双方向に通信してもよい。たとえば、トランシーバ935は、ワイヤレストランシーバを表すことがあり、別のワイヤレストランシーバと双方向に通信してもよい。トランシーバ935はまた、パケットを変調し、変調されたパケットを送信のためにアンテナに与え、かつアンテナから受信されたパケットを復調するためのモデムも含んでもよい。
【０１２５】
いくつかの場合、ワイヤレスデバイスは、単一のアンテナ940を含んでもよい。しかしながら、いくつかの場合、デバイスは、複数のワイヤレス送信を同時に送信または受信することが可能であることがある2つ以上のアンテナ940を有してもよい。
【０１２６】
I/Oコントローラ945は、デバイス905のための入力信号および出力信号を管理してもよい。I/Oコントローラ945はまた、デバイス905に統合されていない周辺装置を管理してもよい。いくつかの場合、I/Oコントローラ945は、外部周辺装置への物理接続またはポートを表すことがある。いくつかの場合、I/Oコントローラ945は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどのオペレーティングシステムを利用することがある。他の場合には、I/Oコントローラ945は、モデム、キーボード、マウス、タッチスクリーン、または同様のデバイスを表し、またはそれと対話することがある。いくつかの場合、I/Oコントローラ945は、プロセッサの一部として実装されてもよい。いくつかの場合、ユーザは、I/Oコントローラ945を介して、またはI/Oコントローラ945によって制御されたハードウェアコンポーネントを介してデバイス905と対話することがある。
【０１２７】
図10は、本開示の様々な態様による、NRのためのTRSをサポートするワイヤレスデバイス1005のブロック図1000を示す。ワイヤレスデバイス1005は、図1、図2、および図5を参照して説明された基地局105の態様の例であってもよい。ワイヤレスデバイス1005は、レシーバ1010と、基地局追跡マネージャ1015と、トランスミッタ1020とを含むことがある。ワイヤレスデバイス1005はプロセッサも含むことがある。これらのコンポーネントの各々は、(たとえば、1つまたは複数のバスを介して)互いに通信していてもよい。
【０１２８】
レシーバ1010は、パケット、ユーザデータ、または様々な情報チャネル(たとえば、制御チャネル、データチャネル、およびNRのためのTRSに関する情報など)と関連付けられた制御情報などの情報を受信することがある。情報はデバイスの他のコンポーネントに渡されてもよい。レシーバ1010は、図13を参照して説明されるトランシーバ1335の態様の例であってもよい。
【０１２９】
基地局追跡マネージャ1015は、図13を参照して説明される基地局追跡マネージャ1315の態様の例であってもよい。
【０１３０】
基地局追跡マネージャ1015および/またはその様々なサブコンポーネントのうちの少なくともいくつかは、ハードウェア、プロセッサによって実行されるソフトウェア、ファームウェア、またはそれらの任意の組合せで実装されてもよい。プロセッサによって実行されるソフトウェアで実装される場合、基地局追跡マネージャ1015および/またはその様々なサブコンポーネントのうちの少なくともいくつかの機能は、汎用プロセッサ、DSP、ASIC、FPGAもしくは他のプログラマブル論理デバイス、個別ゲートもしくはトランジスタ論理、個別ハードウェアコンポーネント、または本開示において説明される機能を実行するように設計されたそれらの任意の組合せによって実行されてもよい。
【０１３１】
基地局追跡マネージャ1015および/またはその様々なサブコンポーネントのうちの少なくともいくつかは、機能の一部が1つまたは複数の物理デバイスによって異なる物理的位置に実装されるように分散されることを含めて、様々な場所に物理的に位置していてもよい。いくつかの例では、基地局追跡マネージャ1015および/またはその様々なサブコンポーネントのうちの少なくともいくつかは、本開示の様々な態様によれば、別個の異なるコンポーネントであってもよい。他の例では、基地局追跡マネージャ1015、および/またはその様々なサブコンポーネントのうちの少なくともいくつかは、限定はされないが、I/Oコンポーネント、トランシーバ、ネットワークサーバ、別のコンピューティングデバイス、本開示で説明される1つまたは複数の他のコンポーネント、または本開示の様々な態様によるそれらの組合せを含む、1つまたは複数の他のハードウェアコンポーネントと組み合わされてもよい。
【０１３２】
基地局追跡マネージャ1015は、基地局によって定期的に、シンボル期間のセットおよびキャリアの帯域幅の第1の部分にわたり、少なくとも1つの同期信号を含む、同期ブロックのセットの各々を送信してもよい。基地局追跡マネージャ1015は、少なくとも1つの同期ブロックのシンボル期間のセットのセットを介して、サブパターンのセットを含む基準信号を送信してもよく、サブパターンのセットの各々は、少なくとも1つの同期信号と同じサブキャリア間隔を有する少なくとも2つの隣接するサブキャリアにわたり、基準信号は、帯域幅の第1の部分と重ならない帯域幅の第2の部分にわたる。基地局追跡マネージャ1015はまた、キャリアの定期的に発生するTTIのセットの制御チャネルにおいて第1の基準信号を送信し、定期的に発生するTTIのセットの各々において、データチャネルにおいて第2の基準信号を送信してもよく、第1の基準信号は、制御チャネルのための復調基準信号であり、キャリアのサブキャリアのセットにマッピングされ、第2の基準信号はシンボルのセットを有し、シンボルのセットの各々は、サブキャリアのセットのうちの対応する1つにマッピングされる。
【０１３３】
いくつかの場合、基地局追跡マネージャ1015は、基地局によって、第1のTTIのデータ領域におけるTRSのためのリソースセットを決定し、基地局によって定期的に、データ領域における決定されたリソースセット上でTRSを送信してもよく、リソースセットは、第1のTTIの中のシンボル期間のセットに対するUEのためのキャリアのサブキャリアのセットのサブパターンセットを含み、サブパターンのセットは、キャリアの帯域幅の第1の部分にわたる。
【０１３４】
トランスミッタ1020は、デバイスの他のコンポーネントによって生成された信号を送信してもよい。いくつかの例では、トランスミッタ1020は、トランシーバモジュールにおいてレシーバ1010と一緒に置かれてもよい。たとえば、トランスミッタ1020は、図13を参照して説明されるトランシーバ1335の態様の例であってもよい。トランスミッタ1020は、単一のアンテナを含んでもよく、またはトランスミッタ1020は、アンテナのセットを含んでもよい。
【０１３５】
図11は、本開示の様々な態様による、NRのためのTRSをサポートするワイヤレスデバイス1105のブロック図1100を示す。ワイヤレスデバイス1105は、図1、図2、図5、および図10を参照して説明されたワイヤレスデバイス1005または基地局105の態様の例であってもよい。ワイヤレスデバイス1105は、レシーバ1110、基地局追跡マネージャ1115、およびトランスミッタ1120を含むことがある。ワイヤレスデバイス1105は、プロセッサも含むことがある。これらのコンポーネントの各々は、(たとえば、1つまたは複数のバスを介して)互いに通信していてもよい。
【０１３６】
受信機1110は、パケット、ユーザデータ、または様々な情報チャネル(たとえば、制御チャネル、データチャネル、およびNRのためのTRSに関する情報など)と関連付けられた制御情報などの情報を受信することがある。情報はデバイスの他のコンポーネントに渡されてもよい。レシーバ1110は、図13を参照して説明されるトランシーバ1335の態様の例であってもよい。
【０１３７】
基地局追跡マネージャ1115は、図13を参照して説明される基地局追跡マネージャ1315の態様の例であってもよい。
【０１３８】
基地局追跡マネージャ1115はまた、同期コンポーネント1125および基準信号トランスミッタ1130を含むことがある。
【０１３９】
同期コンポーネント1125は、基地局によって、第1のTTIのデータ領域におけるTRSのためのリソースセットを決定し、送信された復調基準信号のためのサブキャリアのセットに基づいて、TRSのためのサブキャリアのセットを割り振ってもよく、リソースセットは、第1のTTIの中のシンボル期間のセットに対するUEのためのキャリアのサブキャリアのセットのサブパターンのセットを含み、サブパターンのセットは、キャリアの帯域幅の第1の部分にわたる。いくつかの場合、サブパターンのセットは、同じサブキャリア上で送信されるペアにされたシンボル期間を含む。いくつかの場合、第1のTTIはダウンリンクTTIを含む。いくつかの場合、サブキャリアのサブパターンのセットは、キャリアの帯域幅にわたる。いくつかの場合、サブキャリアのセットは、帯域幅の第1の部分内の少なくとも1つのサブキャリアによって離隔される。加えて、同期コンポーネント1125は、第2のTTIのデータ領域におけるTRSのための第2のリソースセットを決定してもよく、第2のリソースセットは第2のTTIの中のサブキャリアのセットのサブパターンのセットを含む。
【０１４０】
いくつかの例では、同期コンポーネント1125は、基地局によって定期的に、シンボル期間のセットおよびキャリアの帯域幅の第1の部分にわたり、少なくとも1つの同期信号を含む、同期ブロックのセットの各々を送信してもよい。
【０１４１】
基準信号トランスミッタ1130は、TRSのための構成情報を送信し、基地局によって定期的に、データ領域の中の決定されたリソースセット上でTRSを送信し、TTIのセットにわたって補助的なTRSを送信し、第2のTTIにわたって補助的なTRSを送信してもよく、構成情報は、帯域幅の第1の部分、もしくは密度、もしくはパンクチャリングパターン、もしくはサブキャリア間隔、またはこれらの組合せを含み、補助的なTRSは、基地局によって定期的に送信されるTRSのサブパターンのセットと同じサブパターンのセットを含み、補助的なTRSは、第2のサブキャリアのセットのサブパターンの第2のセットを含み、サブパターンの第2のセットは、キャリアの帯域幅の少なくとも一部分にわたり、サブパターンの第2のセットのうちの少なくとも1つは、基地局によって定期的に送信されるTRSのサブパターンのセットと異なる。いくつかの場合、第2のTTIにおける補助的なTRSの密度は、第1のTTIにおけるTRSの密度より高い。加えて、基準信号トランスミッタ1130は、基地局によって定期的に、リソースの決定された第2のセット上でTRSを送信してもよい。
【０１４２】
いくつかの例では、基準信号トランスミッタ1130は、少なくとも1つの同期ブロックのシンボル期間のセットのセットを介して、サブパターンのセットを含む基準信号を送信してもよく、サブパターンのセットの各々は、少なくとも1つの同期信号と同じサブキャリア間隔を有する少なくとも2つの隣接するサブキャリアにわたり、基準信号は、帯域幅の第1の部分と重ならない帯域幅の第2の部分にわたる。基準信号トランスミッタ1130は、この決定に基づいて、少なくとも1つの後続の定期的に発生するTTIの間、第1の基準信号および第2の基準信号の送信を抑制し、この決定に基づいて、少なくとも1つの後続の同期ブロックのための基準信号の送信を抑制してもよい。加えて、基準信号トランスミッタ1130は、UEに、少なくとも1つの追跡TTIにおいてキャリアの帯域幅の少なくとも第2の部分にわたる補助的な基準信号を送信し、キャリアの定期的に発生するTTIのセットの制御チャネルにおいて第1の基準信号を送信し、定期的に発生するTTIのセットの各々において、データチャネルにおいて第2の基準信号を送信してもよく、補助的な基準信号は、追跡TTIのシンボル期間のセットの各々において、基準信号以上のサブパターンのセットの数を有し、第1の基準信号は、制御チャネルのための復調基準信号であり、キャリアのサブキャリアのセットにマッピングされ、第2の基準信号はシンボルのセットを有し、シンボルのセットの各々は、サブキャリアのセットのうちの対応する1つにマッピングされる。いくつかの場合、サブキャリアのセットは全体として、帯域幅の第2の部分内のすべてのサブキャリアにわたる。いくつかの場合、サブキャリアのセットは、帯域幅の第2の部分内の少なくとも1つのサブキャリアによって離隔される。いくつかの場合、基準信号を送信することは、少なくとも1つの同期ブロックのシンボル期間のセットのすべてのシンボル期間に基準信号を送信することを含む。いくつかの場合、基準信号を送信することは、UEが基地局との接続モードにあるという判定に基づいて、基準信号を送信することを含む。いくつかの場合、定期的に発生するTTIのセットのうちの少なくとも1つに対して、制御情報が制御チャネルにおいて存在しない。いくつかの場合、第1の基準信号および第2の基準信号を送信することは、UEが基地局との接続モードにあるという判定に基づいて、第1の基準信号および第2の基準信号を送信することを含む。いくつかの場合、基準信号を送信することは、キャリアの帯域幅の全体にわたって延びる基準信号を送信することを含む。
【０１４３】
トランスミッタ1120は、デバイスの他のコンポーネントによって生成された信号を送信してもよい。いくつかの例では、トランスミッタ1120は、トランシーバモジュールにおいてレシーバ1110と一緒に置かれてもよい。たとえば、トランスミッタ1120は、図13を参照して説明されるトランシーバ1335の態様の例であってもよい。トランスミッタ1120は、単一のアンテナを含んでもよく、またはトランスミッタ1120は、アンテナのセットを含んでもよい。
【０１４４】
図12は、本開示の様々な態様による、NRのためのTRSをサポートする基地局追跡マネージャ1215のブロック図1200を示す。基地局追跡マネージャ1215は、図10、図11、および図13を参照して説明される基地局追跡マネージャ1315の態様の例であってもよい。基地局追跡マネージャ1215は、同期コンポーネント1220、基準信号トランスミッタ1225、モードコンポーネント1230、データチャネルトランスミッタ1235、および追跡TTIコンポーネント1240を含んでもよい。これらのモジュールの各々は、(たとえば、1つまたは複数のバスを介して)互いと直接または間接的に通信してもよい。
【０１４５】
同期コンポーネント1220は、基地局によって、第1のTTIのデータ領域におけるTRSのためのリソースセットを決定し、送信された復調基準信号のためのサブキャリアのセットに基づいて、TRSのためのサブキャリアのセットを割り振ってもよく、リソースセットは、第1のTTIの中のシンボル期間のセットに対するUEのためのキャリアのサブキャリアのセットのサブパターンのセットを含み、サブパターンのセットは、キャリアの帯域幅の第1の部分にわたる。いくつかの場合、サブパターンのセットは、同じサブキャリア上で送信されるペアにされたシンボル期間を含む。いくつかの場合、第1のTTIはダウンリンクTTIを含む。いくつかの場合、サブキャリアのサブパターンのセットは、キャリアの帯域幅にわたる。いくつかの場合、サブパターンのセットは、帯域幅の第1の部分内の少なくとも1つのサブキャリアによって離隔される。加えて、同期コンポーネント1220は、第2のTTIのデータ領域におけるTRSのための第2のリソースセットを決定してもよく、第2のリソースセットは第2のTTIの中のサブキャリアのセットのサブパターンのセットを含む。
【０１４６】
いくつかの例では、同期コンポーネント1220は、基地局によって定期的に、シンボル期間のセットおよびキャリアの帯域幅の第1の部分にわたり、少なくとも1つの同期信号を含む、同期ブロックのセットの各々を送信してもよい。
【０１４７】
基準信号トランスミッタ1225は、TRSのための構成情報を送信し、基地局によって定期的に、データ領域の中の決定されたリソースセット上でTRSを送信し、TTIのセットにわたって補助的なTRSを送信し、第2のTTIにわたって補助的なTRSを送信してもよく、構成情報は、帯域幅の第1の部分、もしくは密度、もしくはパンクチャリングパターン、もしくはサブキャリア間隔、またはこれらの組合せを含み、補助的なTRSは、基地局によって定期的に送信されるTRSのサブパターンのセットと同じサブパターンのセットを含み、補助的なTRSは、第2のサブキャリアのセットのサブパターンの第2のセットを含み、サブパターンの第2のセットは、キャリアの帯域幅の少なくとも一部分にわたり、サブパターンの第2のセットのうちの少なくとも1つは、基地局によって定期的に送信されるTRSのサブパターンのセットと異なる。いくつかの場合、第2のTTIにおける補助的なTRSの密度は、第1のTTIにおけるTRSの密度より高い。加えて、基準信号トランスミッタ1225は、基地局によって定期的に、リソースの決定された第2のセット上でTRSを送信してもよい。
【０１４８】
いくつかの例では、基準信号トランスミッタ1225は、少なくとも1つの同期ブロックのシンボル期間のセットのセットを介して、サブパターンのセットを含む基準信号を受信してもよく、サブパターンのセットの各々は、少なくとも1つの同期信号と同じサブキャリア間隔を有する少なくとも2つの隣接するサブキャリアにわたり、基準信号は、帯域幅の第1の部分と重ならない帯域幅の第2の部分にわたる。基準信号トランスミッタ1225は、この決定に基づいて、少なくとも1つの後続の定期的に発生するTTIの間、第1の基準信号および第2の基準信号の送信を抑制し、この決定に基づいて、少なくとも1つの後続の同期ブロックのための基準信号の送信を抑制してもよい。加えて、基準信号トランスミッタ1225は、UEに、少なくとも1つの追跡TTIにおいてキャリアの帯域幅の少なくとも第2の部分にわたる補助的な基準信号を送信し、キャリアの定期的に発生するTTIのセットの制御チャネルにおいて第1の基準信号を送信し、定期的に発生するTTIのセットの各々において、データチャネルにおいて第2の基準信号を送信してもよく、補助的な基準信号は、追跡TTIのシンボル期間のセットの各々において、基準信号以上のサブパターンのセットの数を有し、第1の基準信号は、制御チャネルのための復調基準信号であり、キャリアのサブキャリアのセットにマッピングされ、第2の基準信号はシンボルのセットを有し、シンボルのセットの各々は、サブキャリアのセットのうちの対応する1つにマッピングされる。いくつかの場合、サブキャリアのセットは全体として、帯域幅の第2の部分内のすべてのサブキャリアにわたる。いくつかの場合、サブキャリアのセットは、帯域幅の第2の部分内の少なくとも1つのサブキャリアによって離隔される。いくつかの場合、基準信号を送信することは、少なくとも1つの同期ブロックのシンボル期間のセットのすべてのシンボル期間に基準信号を送信することを含む。いくつかの場合、基準信号を送信することは、UEが基地局との接続モードにあるという判定に基づいて、基準信号を送信することを含む。いくつかの場合、定期的に発生するTTIのセットのうちの少なくとも1つに対して、制御情報が制御チャネルにおいて存在しない。いくつかの場合、第1の基準信号および第2の基準信号を送信することは、UEが基地局との接続モードにあるという判定に基づいて、第1の基準信号および第2の基準信号を送信することを含む。いくつかの場合、基準信号を送信することは、キャリアの帯域幅の全体にわたって延びる基準信号を送信することを含む。
【０１４９】
モードコンポーネント1230は、基地局との接続モードからアイドルモードへUEが移行したことを判定し、この判定に基づいて少なくとも1つの後続のTTIの間TRSの送信を抑制してもよい。いくつかの場合、TRSを送信することはさらに、UEが接続モードにあるという判定に基づいて、TRSを送信することを含む。いくつかの場合、TRSを送信することは、基地局との接続モードにあるUEがないことを判定することを含む。
【０１５０】
いくつかの例では、モードコンポーネント1230は、基地局との接続モードからアイドルモードへUEが移行したことを判定してもよい。
【０１５１】
データチャネルトランスミッタ1235は、キャリアのデータ割振りを介してUEにデータチャネルを送信してもよく、データチャネルのためのサブキャリアのサブキャリア間隔は、基準信号の少なくとも2つの隣接するサブキャリアのサブキャリア間隔と異なる。
【０１５２】
追跡TTIコンポーネント1240は、基地局によって定期的に、第1のTTIにおいてキャリアの帯域幅の第2の部分を介して同期ブロックを送信し、第1のTTIのシンボル期間のセットにおいて同期ブロックの同期信号のセットを送信し、第1のTTIの制御領域において復調基準信号を送信してもよく、帯域幅の第2の部分は帯域幅の第1の部分と重ならず、復調基準信号は第1のTTIのサブキャリアのセットにマッピングされる。いくつかの場合、同期ブロックは、TRSのためのシンボル期間の少なくともそのセットにおいて送信される。
【０１５３】
いくつかの例では、追跡TTIコンポーネント1240は、アイドルモードから接続モードへのUEの移行のタイミング、UEのためのCDRXサイクルに基づいて、少なくとも1つの追跡TTIを決定し、少なくとも1つの追跡TTIのインジケータをUEに送信してもよい。
【０１５４】
図13は、本開示の様々な態様による、NRのためのTRSをサポートするデバイス1305を含むシステム1300の図を示す。デバイス1305は、たとえば、図1を参照して上で説明されたような基地局105のコンポーネントの例であることがあり、またはそれを含むことがある。デバイス1305は、基地局追跡マネージャ1315と、プロセッサ1320と、メモリ1325と、ソフトウェア1330と、トランシーバ1335と、アンテナ1340と、ネットワーク通信マネージャ1345と、基地局通信マネージャ1350とを含む、通信を送信および受信するためのコンポーネントを含む、双方向の音声およびデータ通信のためのコンポーネントを含むことがある。これらのコンポーネントは、1つまたは複数のバス(たとえば、バス1310)を介して電子通信していてもよい。デバイス1305は、1つまたは複数のUE115とワイヤレスに通信してもよい。
【０１５５】
プロセッサ1320は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理コンポーネント、個別ハードウェアコンポーネント、またはそれらの任意の組合せ)を含んでもよい。いくつかの場合、プロセッサ1320は、メモリコントローラを使ってメモリアレイを操作するように構成されてもよい。他の場合には、メモリコントローラはプロセッサ1320に統合されてもよい。プロセッサ1320は、様々な機能(たとえば、NRのためのTRSをサポートする機能またはタスク)を実行するために、メモリに記憶されたコンピュータ可読命令を実行するように構成されてもよい。
【０１５６】
メモリ1325は、RAMとROMとを含むことがある。メモリ1325は、実行されると、プロセッサに、本明細書で説明される様々な機能を実行させる命令を含むコンピュータ可読のコンピュータ実行可能ソフトウェア1330を記憶してもよい。いくつかの場合、メモリ1325は、とりわけ周辺コンポーネントまたはデバイスとの相互作用などの基本的なハードウェアおよび/またはソフトウェア動作を制御することがあるBIOSを含んでもよい。
【０１５７】
ソフトウェア1330は、NRのためのTRSをサポートするためのコードを含む、本開示の態様を実装するためのコードを含んでもよい。ソフトウェア1330は、システムメモリまたは他のメモリなどの非一時的コンピュータ可読媒体に記憶されてもよい。いくつかの場合、ソフトウェア1330は、プロセッサによって直接実行可能でないことがあるが、(たとえば、コンパイルされ、実行されると)本明細書で説明される機能をコンピュータに実行させることがある。
【０１５８】
トランシーバ1335は、上で説明されたような1つまたは複数のアンテナ、有線リンク、またはワイヤレスリンクを介して双方向に通信してもよい。たとえば、トランシーバ1335は、ワイヤレストランシーバを表すことがあり、別のワイヤレストランシーバと双方向に通信することがある。トランシーバ1335はまた、パケットを変調し、変調されたパケットを送信のためにアンテナに与え、かつアンテナから受信されたパケットを復調するためのモデムも含んでもよい。
【０１５９】
いくつかの場合、ワイヤレスデバイスは、単一のアンテナ1340を含んでもよい。しかしながら、いくつかの場合、デバイスは、複数のワイヤレス送信を同時に送信または受信することが可能であることがある2つ以上のアンテナ1340を有してもよい。
【０１６０】
ネットワーク通信マネージャ1345は、(たとえば、1つまたは複数の有線バックホールリンクを介して)コアネットワークとの通信を管理してもよい。たとえば、ネットワーク通信マネージャ1345は、1つまたは複数のUE115などのクライアントデバイスのためのデータ通信の転送を管理してもよい。
【０１６１】
基地局通信マネージャ1350は、他の基地局105との通信を管理することができ、他の基地局105と協働してUE115との通信を制御するためのコントローラまたはスケジューラを含んでもよい。たとえば、基地局通信マネージャ1350は、ビームフォーミングまたはジョイント送信などの様々な干渉軽減技法のために、UE115への送信のためのスケジューリングを調整してもよい。いくつかの例では、基地局通信マネージャ1350は、基地局105間の通信を行うために、LTE/LTE-Aワイヤレス通信ネットワーク技術内のX2インターフェースを提供してもよい。
【０１６２】
図14は、本開示の様々な態様による、NRのためのTRSの方法1400を示すフローチャートを示す。方法1400の動作は、本明細書で説明されるように、UE115またはそのコンポーネントによって実施されてもよい。たとえば、方法1400の動作は、図6〜図9を参照して説明されたように、UE追跡マネージャによって実行されてもよい。いくつかの例では、UE115は、以下で説明される機能を実行するようにデバイスの機能要素を制御するためのコードのセットを実行してもよい。加えて、または代わりに、UE115は、専用ハードウェアを使用して以下で説明される機能の態様を実行してもよい。
【０１６３】
1405において、UE115は、基地局との接続モードにあるUEによって、基地局によって定期的に送信される同期ブロックのシンボル期間のセットを特定してもよく、同期ブロックは、キャリアの帯域幅の第1の部分にわたり、少なくとも1つの同期信号を備える。1405の動作は、図1〜図5を参照して説明された方法に従って実行されてもよい。いくつかの例では、1405の動作の態様は、図6〜図9を参照して説明されたように、シンボル期間コンポーネントによって実行されてもよい。
【０１６４】
1410において、UE115は、シンボル期間の複数の特定されたセットを介して、複数のサブパターンを備える基準信号を受信してもよく、複数のサブパターンの各々は、少なくとも1つの同期信号と同じサブキャリア間隔を有する少なくとも2つの隣接するサブキャリアにわたり、基準信号は、帯域幅の第1の部分と重ならない帯域幅の第2の部分にわたる。1410の動作は、図1〜図5を参照して説明された方法に従って実行されてもよい。いくつかの例では、1410の動作の態様は、図6〜図9を参照して説明されたような基準信号コンポーネントによって実行されてもよい。
【０１６５】
1415において、UE115は、基準信号に基づいてキャリアの周波数追跡および時間追跡を実行してもよい。1415の動作は、図1〜図5を参照して説明された方法に従って実行されてもよい。いくつかの例では、1415の動作の態様は、図6〜図9を参照して説明されたような追跡コンポーネントによって実行されてもよい。
【０１６６】
図15は、本開示の様々な態様による、NRのためのTRSの方法1500を示すフローチャートを示す。方法1500の動作は、本明細書で説明されたような基地局105またはそのコンポーネントによって実施されてもよい。たとえば、方法1500の動作は、図10〜図13を参照して説明されたような基地局追跡マネージャによって実行されてもよい。いくつかの例では、基地局105は、以下で説明される機能を実行するようにデバイスの機能要素を制御するためのコードのセットを実行してもよい。加えて、または代わりに、基地局105は、専用ハードウェアを使用して以下で説明される機能の態様を実行してもよい。
【０１６７】
1505において、基地局105は、基地局によって定期的に、シンボル期間のセットおよびキャリアの帯域幅の第1の部分にわたり、少なくとも1つの同期信号を備える、複数の同期ブロックの各々を送信してもよい。1505の動作は、図1〜図5を参照して説明された方法に従って実行されてもよい。いくつかの例では、1505の動作の態様は、図10〜図13を参照して説明されたような同期コンポーネントによって実行されてもよい。
【０１６８】
1510において、基地局105は、少なくとも1つの同期ブロックのシンボル期間の複数のセットを介して、複数のサブパターンを備える基準信号を送信してもよく、複数のサブパターンの各々は、少なくとも1つの同期信号と同じサブキャリア間隔を有する少なくとも2つの隣接するサブキャリアにわたり、基準信号は、帯域幅の第1の部分と重ならない帯域幅の第2の部分にわたる。1510の動作は、図1〜図5を参照して説明された方法に従って実行されてもよい。いくつかの例では、1510の動作の態様は、図10〜図13を参照して説明されたような基準信号トランスミッタによって実行されてもよい。
【０１６９】
図16は、本開示の様々な態様による、NRのためのTRSの方法1600を示すフローチャートを示す。方法1600の動作は、本明細書で説明されるように、UE115またはそのコンポーネントによって実施されてもよい。たとえば、方法1600の動作は、図6〜図9を参照して説明されたように、UE追跡マネージャによって実行されてもよい。いくつかの例では、UE115は、以下で説明される機能を実行するようにデバイスの機能要素を制御するためのコードのセットを実行してもよい。加えて、または代わりに、UE115は、以下で説明される機能の態様を、専用ハードウェアを使用して実行してもよい。
【０１７０】
1605において、UE115は、基地局との接続モードにあるUEによって、キャリアのTTIの制御チャネルにおいて基地局によって送信される第1の基準信号を受信してもよく、第1の基準信号は、制御チャネルのための復調基準信号であり、キャリアのサブキャリアのセットにマッピングされる。1605の動作は、図1〜図5を参照して説明された方法に従って実行されてもよい。いくつかの例では、1605の動作の態様は、図6〜図9を参照して説明されたような基準信号コンポーネントによって実行されてもよい。
【０１７１】
1610において、UE115は、TTIのデータチャネルにおいて第2の基準信号を受信してもよく、第2の基準信号は複数のシンボルを有し、複数のシンボルの各々はサブキャリアのセットのうちの対応する1つにマッピングされる。1610の動作は、図1〜図5を参照して説明された方法に従って実行されてもよい。いくつかの例では、1610の動作の態様は、図6〜図9を参照して説明されたような基準信号コンポーネントによって実行されてもよい。
【０１７２】
1615において、UE115は、第1の基準信号および第2の基準信号に基づいてキャリアの周波数追跡および時間追跡を実行してもよい。1615の動作は、図1〜図5を参照して説明された方法に従って実行されてもよい。いくつかの例では、1615の動作の態様は、図6〜図9を参照して説明されたような追跡コンポーネントによって実行されてもよい。
【０１７３】
図17は、本開示の様々な態様による、NRのためのTRSの方法1700を示すフローチャートを示す。方法1700の動作は、本明細書で説明されたような基地局105またはそのコンポーネントによって実施されてもよい。たとえば、方法1700の動作は、図10〜図13を参照して説明されたような基地局追跡マネージャによって実行されてもよい。いくつかの例では、基地局105は、以下で説明される機能を実行するようにデバイスの機能要素を制御するためのコードのセットを実行してもよい。加えて、または代わりに、基地局105は、専用ハードウェアを使用して以下で説明される機能の態様を実行してもよい。
【０１７４】
1705において、基地局105は、キャリアの複数の定期的に発生するTTIの制御チャネルにおいて第1の基準信号を送信してもよく、第1の基準信号は、制御チャネルのための復調基準信号であり、キャリアのサブキャリアのセットにマッピングされる。1705の動作は、図1〜図5を参照して説明された方法に従って実行されてもよい。いくつかの例では、1705の動作の態様は、図10〜図13を参照して説明されたような基準信号トランスミッタによって実行されてもよい。
【０１７５】
1710において、基地局105は、複数の定期的に発生するTTIの各々において、データチャネルにおいて第2の基準信号を送信してもよく、第2の基準信号は複数のシンボルを有し、複数のシンボルの各々はサブキャリアのセットのうちの対応する1つにマッピングされる。1710の動作は、図1〜図5を参照して説明された方法に従って実行されてもよい。いくつかの例では、1710の動作の態様は、図10〜図13を参照して説明されたような基準信号トランスミッタによって実行されてもよい。
【０１７６】
図18は、本開示の様々な態様による、NRのためのTRSの方法1800を示すフローチャートを示す。方法1800の動作は、本明細書で説明されるように、UE115またはそのコンポーネントによって実施されてもよい。たとえば、方法1800の動作は、図6〜図9を参照して説明されたように、UE追跡マネージャによって実行されてもよい。いくつかの例では、UE115は、以下で説明される機能を実行するようにデバイスの機能要素を制御するためのコードのセットを実行してもよい。加えて、または代わりに、UE115は、以下で説明される機能の態様を、専用ハードウェアを使用して実行してもよい。
【０１７７】
1805において、UE115は、基地局との接続モードにあるUEによって、第1のTTIのデータ領域において基地局によって定期的に送信されるTRSのためのリソースセットを特定してもよく、TRSは、第1のTTIの中のシンボル期間のセットに対するUEのためのキャリアのサブキャリアのセットの複数のサブパターンを備え、複数のサブパターンは、キャリアの帯域幅の第1の部分にわたる。1805の動作は、本明細書で説明される方法に従って実行されてもよい。いくつかの例では、1805の動作の態様は、図6〜図9を参照して説明されたように、シンボル期間コンポーネントによって実行されてもよい。
【０１７８】
1810において、UE115は、特定されたリソースセット上でTRSを受信してもよい。1810の動作は、本明細書で説明される方法に従って実行されてもよい。いくつかの例では、1810の動作の態様は、図6〜図9を参照して説明されたような基準信号コンポーネントによって実行されてもよい。
【０１７９】
1815において、UE115は、受信されたTRSに基づいてキャリアの周波数追跡および時間追跡を実行してもよい。1815の動作は、本明細書で説明される方法に従って実行されてもよい。いくつかの例では、1815の動作の態様は、図6〜図9を参照して説明されたような追跡コンポーネントによって実行されてもよい。
【０１８０】
図19は、本開示の様々な態様による、NRのためのTRSの方法1900を示すフローチャートを示す。方法1900の動作は、本明細書で説明されるように、UE115またはそのコンポーネントによって実施されてもよい。たとえば、方法1900の動作は、図6〜図9を参照して説明されたように、UE追跡マネージャによって実行されてもよい。いくつかの例では、UE115は、以下で説明される機能を実行するようにデバイスの機能要素を制御するためのコードのセットを実行してもよい。加えて、または代わりに、UE115は、以下で説明される機能の態様を、専用ハードウェアを使用して実行してもよい。
【０１８１】
1905において、UE115は、基地局との接続モードにあるUEによって、第1のTTIのデータ領域において基地局によって定期的に送信されるTRSのためのリソースセットを特定してもよく、TRSは、第1のTTIの中のシンボル期間のセットに対するUEのためのキャリアのサブキャリアのセットの複数のサブパターンを備え、複数のサブパターンは、キャリアの帯域幅の第1の部分にわたる。1905の動作は、本明細書で説明される方法に従って実行されてもよい。いくつかの例では、1905の動作の態様は、図6〜図9を参照して説明されたように、シンボル期間コンポーネントによって実行されてもよい。
【０１８２】
1910において、UE115は、基地局から、TRSのための構成情報を受信してもよく、構成情報は、帯域幅の第1の部分、もしくは密度、もしくはパンクチャリングパターン、もしくはサブキャリア間隔、またはこれらの組合せを備え、追跡のためのリソースセットは、TRSのための受信された構成情報に基づいて決定される。1910の動作は、本明細書で説明される方法に従って実行されてもよい。いくつかの例では、1910の動作の態様は、図6〜図9を参照して説明されたような基準信号コンポーネントによって実行されてもよい。
【０１８３】
1915において、UE115は、特定されたリソースセット上でTRSを受信してもよい。1915の動作は、本明細書で説明される方法に従って実行されてもよい。いくつかの例では、1915の動作の態様は、図6〜図9を参照して説明されたような基準信号コンポーネントによって実行されてもよい。
【０１８４】
1920において、UE115は、受信されたTRSに基づいてキャリアの周波数追跡および時間追跡を実行してもよい。1920の動作は、本明細書で説明される方法に従って実行されてもよい。いくつかの例では、1920の動作の態様は、図6〜図9を参照して説明されたような追跡コンポーネントによって実行されてもよい。
【０１８５】
図20は、本開示の様々な態様による、NRのためのTRSの方法2000を示すフローチャートを示す。方法2000の動作は、本明細書で説明されたような基地局105またはそのコンポーネントによって実施されてもよい。たとえば、方法2000の動作は、図10〜図13を参照して説明されたような基地局追跡マネージャによって実行されてもよい。いくつかの例では、基地局105は、以下で説明される機能を実行するようにデバイスの機能要素を制御するためのコードのセットを実行してもよい。加えて、または代わりに、基地局105は、専用ハードウェアを使用して以下で説明される機能の態様を実行してもよい。
【０１８６】
2005において、基地局105は、基地局によって、第1のTTIのデータ領域においてTRSのためのリソースセットを決定してもよく、リソースセットは、第1のTTIの中のシンボル期間のセットに対するUEのためのキャリアのサブキャリアのセットの複数のサブパターンを備え、複数のサブパターンは、キャリアの帯域幅の第1の部分にわたる。2005の動作は、本明細書で説明される方法に従って実行されてもよい。いくつかの例では、2005の動作の態様は、図10〜図13を参照して説明されたような同期コンポーネントによって実行されてもよい。
【０１８７】
2010において、基地局105は、基地局によって定期的に、データ領域の中の決定されたリソースセット上でTRSを送信してもよい。2010の動作は、本明細書で説明される方法に従って実行されてもよい。いくつかの例では、2010の動作の態様は、図10〜図13を参照して説明されたような基準信号トランスミッタによって実行されてもよい。
【０１８８】
図21は、本開示の様々な態様による、NRのためのTRSの方法2100を示すフローチャートを示す。方法2100の動作は、本明細書で説明されたような基地局105またはそのコンポーネントによって実施されてもよい。たとえば、方法2100の動作は、図10〜図13を参照して説明されたような基地局追跡マネージャによって実行されてもよい。いくつかの例では、基地局105は、以下で説明される機能を実行するようにデバイスの機能要素を制御するためのコードのセットを実行してもよい。加えて、または代わりに、基地局105は、専用ハードウェアを使用して以下で説明される機能の態様を実行してもよい。
【０１８９】
2105において、基地局105は、基地局によって、第1のTTIのデータ領域においてTRSのためのリソースセットを決定してもよく、リソースセットは、第1のTTIの中のシンボル期間のセットに対するUEのためのキャリアのサブキャリアのセットの複数のサブパターンを備え、複数のサブパターンは、キャリアの帯域幅の第1の部分にわたる。2105の動作は、本明細書で説明される方法に従って実行されてもよい。いくつかの例では、2105の動作の態様は、図10〜図13を参照して説明されたような同期コンポーネントによって実行されてもよい。
【０１９０】
2110において、基地局105は、TRSのための構成情報を送信することがあり、構成情報は、帯域幅の第1の部分、もしくは密度、もしくはパンクチャリングパターン、もしくはサブキャリア間隔、またはこれらの組合せを備える。2110の動作は、本明細書で説明される方法に従って実行されてもよい。いくつかの例では、2110の動作の態様は、図10〜図13を参照して説明されたような基準信号トランスミッタによって実行されてもよい。
【０１９１】
2115において、基地局105は、基地局によって定期的に、データ領域の中の決定されたリソースセット上でTRSを送信してもよい。2115の動作は、本明細書で説明される方法に従って実行されてもよい。いくつかの例では、2115の動作の態様は、図10〜図13を参照して説明されたような基準信号トランスミッタによって実行されてもよい。
【０１９２】
上で説明された方法は、可能な実装形態を説明しており、動作およびステップは、再編成されるか、または他の方法で修正されてもよく、他の実装形態が可能であることに留意されたい。さらに、方法のうちの2つ以上からの態様が組み合わされてもよい。
【０１９３】
本明細書で説明される技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなど、様々なワイヤレス通信システムのために使用されてもよい。「システム」および「ネットワーク」という用語は、しばしば、互換的に使用される。符号分割多元接続(CDMA)システムは、CDMA2000、Universal Terrestrial Radio Access(UTRA)などの無線技術を実装することがある。CDMA2000は、IS-2000規格、IS-95規格、およびIS-856規格をカバーする。IS-2000リリースは、一般にCDMA2000 1X、1Xなどと呼ばれることがある。IS-856(TIA-856)は、通常、CDMA2000 1xEV-DO、High Rate Packet Data (HRPD)などと呼ばれる。UTRAは、Wideband CDMA(WCDMA(登録商標))およびCDMAの他の変形を含む。時分割多元接続(TDMA)システムは、Global System for Mobile Communications(GSM(登録商標))などの無線技術を実装することがある。
【０１９４】
直交周波数分割多元接続(OFDMA)システムは、Ultra Mobile Broadband(UMB)、Evolved UTRA(E-UTRA)、米国電気電子技術者協会(IEEE)802.11(Wi-Fi)、IEEE802.16(WiMAX)、IEEE802.20、Flash-OFDMなどの無線技術を実装することがある。UTRAおよびE-UTRAは、Universal Mobile Telecommunications system(UMTS)の一部である。3GPP Long Term Evolution(LTE)およびLTE-Advanced(LTE-A)は、E-UTRAを使用するUniversal Mobile Telecommunications System(UMTS)のリリースである。UTRA、E-UTRA、UMTS、LTE、LTE-A、NR、およびGlobal System for Mobile communications(GSM(登録商標))は、「第3世代パートナーシッププロジェクト」(3GPP)と称する組織からの文書に記載されている。CDMA2000およびUMBは、「第3世代パートナーシッププロジェクト2」(3GPP2)と称する組織の文書に記載されている。本明細書で説明される技法は、上で言及されたシステムおよび無線技術ならびに他のシステムおよび無線技術に使用されてもよい。LTEシステムまたはNRシステムの態様が例として説明されることがあり、説明の大部分においてLTE用語またはNR用語が使用されることがあるが、本明細書で説明される技法はLTE適用例またはNR適用例以外に適用可能である。
【０１９５】
本明細書に記載されたネットワークを含むLTE/LTE-Aネットワークでは、evolved node B(eNB)という用語は、一般に基地局を記述するために使用されることがある。本明細書で説明される1つまたは複数のワイヤレス通信システムは、異なるタイプのevolved node B(eNB)が様々な地理的領域にカバレッジを与える、異種LTE/LTE-AネットワークまたはNRネットワークを含んでもよい。たとえば、各eNB、gNB、または基地局は、マクロセル、スモールセル、または他のタイプのセルに通信カバレッジを提供することがある。「セル」という用語は、文脈に応じて、基地局、基地局に関連するキャリアまたはコンポーネントキャリア、あるいはキャリアまたは基地局のカバレッジエリア(たとえば、セクタなど)を表すために使用されることがある。
【０１９６】
基地局は、基地トランシーバ局、無線基地局、アクセスポイント、無線トランシーバ、NodeB、eNodeB(eNB)、次世代NodeB(gNB)、Home NodeB、Home eNodeB、もしくは何らかの他の好適な用語を含むことがあり、またはそのように当業者によって呼ばれることがある。基地局のための地理的カバレッジエリアは、カバレッジエリアの一部分のみを構成するセクタに分割されることがある。本明細書で説明される1つまたは複数のワイヤレス通信システムは、異なるタイプの基地局(たとえば、マクロ基地局またはスモールセル基地局)を含んでもよい。本明細書で説明されるUEは、マクロeNB、スモールセルeNB、gNB、リレー基地局などを含む様々なタイプの基地局およびネットワーク機器と通信することが可能であってもよい。重複する異なる技術のための地理的カバレッジエリアが存在してもよい。
【０１９７】
マクロセルは一般に、比較的大きい地理的エリア(たとえば、半径数キロメートル)をカバーし、ネットワークプロバイダのサービスに加入しているUEによる無制限アクセスを可能にすることがある。スモールセルは、マクロセルと比較して、同じまたは異なる(たとえば、免許、免許不要などの)周波数帯域内でマクロセルとして動作することがある低電力基地局である。スモールセルは、様々な例による、ピコセル、フェムトセル、およびマイクロセルを含んでもよい。ピコセルは、たとえば、小さい地理的エリアをカバーすることがあり、ネットワークプロバイダのサービスに加入しているUEによる無制限アクセスを可能にすることがある。フェムトセルも、小さい地理的エリア(たとえば、自宅)をカバーすることがあり、フェムトセルとの関連付けを有するUE(たとえば、限定加入者グループ(CSG:closed subscriber group)の中のUE、自宅の中のユーザ用のUEなど)による制限付きアクセスを提供することがある。マクロセル用のeNBは、マクロeNBと呼ばれることがある。スモールセル用のeNBは、スモールセルeNB、ピコeNB、フェムトeNB、またはホームeNBと呼ばれることがある。eNBは、1つまたは複数の(たとえば、2つ、3つ、4つなどの)セル(たとえば、コンポーネントキャリア)をサポートすることがある。
【０１９８】
本明細書で説明された1つまたは複数のワイヤレス通信システムは、同期動作または非同期動作をサポートしてもよい。同期動作の場合、基地局は、類似のフレームタイミングを有してよく、異なる基地局からの送信は、時間的にほぼ整合されることがある。非同期動作の場合、基地局は、異なるフレームタイミングを有することがあり、異なる基地局からの送信は、時間的に整合されないことがある。本明細書で説明される技法は、同期動作または非同期動作のいずれで使用されてもよい。
【０１９９】
本明細書で説明されるダウンリンク送信は、順方向リンク送信と呼ばれることもあり、アップリンク送信は、逆方向リンク送信と呼ばれることもある。たとえば、図1および図2のワイヤレス通信システム100および200を含む、本明細書で説明される各通信リンクは、1つまたは複数のキャリアを含んでもよく、各キャリアは、複数のサブキャリア(たとえば、異なる周波数の波形信号)から構成される信号であってもよい。
【０２００】
添付の図面に関して本明細書に記載された説明は、例示的な構成を説明しており、実装されてもよいまたは特許請求の範囲内に入るすべての例を表すとは限らない。本明細書で使用される「例示的」という用語は、「例、事例、または例示として働く」ことを意味し、「好ましい」または「他の例よりも有利な」を意味するものではない。発明を実施するための形態は、記載された技法の理解を与えるための具体的な詳細を含む。しかしながら、これらの技法は、これらの具体的な詳細を伴うことなく実践されてもよい。いくつかの事例では、説明された例の概念を不明瞭にすることを回避するために、よく知られている構造およびデバイスがブロック図の形態で示される。
【０２０１】
添付の図面では、類似のコンポーネントまたは特徴は、同じ参照ラベルを有することがある。さらに、同じタイプの様々なコンポーネントが、参照ラベルの後に、ダッシュおよび類似のコンポーネントを区別する第2のラベルを続けることによって区別されることがある。第1の参照ラベルのみが本明細書で使用される場合、説明は、第2の参照ラベルにかかわらず、同じ第1の参照ラベルを有する類似のコンポーネントのいずれにも適用可能である。
【０２０２】
本明細書で説明される情報および信号は、多種多様な技術および技法のいずれかを使用して表されることがある。たとえば、上記の説明全体にわたって言及されることがあるデータ、命令、コマンド、情報、信号、ビット、シンボル、およびチップは、電圧、電流、電磁波、磁場もしくは磁性粒子、光場もしくは光学粒子、またはそれらの任意の組合せによって表されることがある。
【０２０３】
本開示に関して説明される様々な例示的なブロックおよびモジュールは、汎用プロセッサ、DSP、ASIC、FPGAもしくは他のプログラマブル論理デバイス、個別ゲートもしくはトランジスタ論理、個別ハードウェアコンポーネント、または本明細書で説明される機能を実行するように設計されたそれらの任意の組合せを用いて実装または実行されてもよい。汎用プロセッサはマイクロプロセッサであってもよいが、代替として、プロセッサは任意の従来のプロセッサ、コントローラ、マイクロコントローラ、またはステートマシーンであってもよい。プロセッサはまた、コンピューティングデバイスの組合せ、たとえば、DSPとマイクロプロセッサとの組合せ、複数のマイクロプロセッサ、DSPコアと連携した1つもしくは複数のマイクロプロセッサ、または任意の他のそのような構成としても実装されてもよい。
【０２０４】
本明細書で説明された機能は、ハードウェア、プロセッサによって実行されるソフトウェア、ファームウェア、またはそれらの任意の組合せとして実装されてもよい。プロセッサによって実行されるソフトウェアで実装される場合、機能は、1つまたは複数の命令またはコードとして、コンピュータ可読媒体上に記憶され、またはコンピュータ可読媒体を介して送信されてもよい。他の例および実装形態は、本開示および添付の特許請求の範囲の範囲内に入る。たとえば、ソフトウェアの性質に起因して、上で説明された機能は、プロセッサ、ハードウェア、ファームウェア、ハードワイヤリング、またはこれらのうちのいずれかの組合せによって実行されるソフトウェアを使用して実装されてもよい。機能を実施する特徴はまた、異なる物理的位置において機能の部分が実装されるように分散されることを含め、様々な場所に物理的に位置していてもよい。また、特許請求の範囲内を含めて本明細書で使用される場合、項目のリスト(たとえば、「のうちの少なくとも1つ」または「のうちの1つまたは複数」などの句で終わる項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。また、本明細書で使用される「に基づいて」という句は、条件の閉集合を指すものと解釈されるべきではない。たとえば、「条件Aに基づいて」として説明された例示的なステップは、本開示の範囲から逸脱することなく条件Aと条件Bの両方に基づいてもよい。言い換えれば、本明細書で使用される「〜に基づく」というフレーズは、「〜に少なくとも部分的に基づく」というフレーズと同様に解釈されるべきである。
【０２０５】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用コンピュータまたは専用コンピュータによってアクセスできる任意の利用可能な媒体であってもよい。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気ストレージデバイス、あるいは命令またはデータ構造の形態の所望のプログラムコード手段を搬送または記憶するために使用されることがあり、汎用もしくは専用コンピュータまたは汎用もしくは専用プロセッサによってアクセスされることがある、任意の他の非一時的媒体を含んでもよい。また、あらゆる接続が、コンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、デジタル加入者回線(DSL)、または赤外線、無線、およびマイクロ波などのワイヤレス技術は、媒体の定義に含まれる。本明細書において使用されるディスク(disk)およびディスク(disc)は、CD、レーザーディスク(登録商標)(disc)、光ディスク(disc)、デジタル多用途ディスク(disc)(DVD)、フロッピーディスク(disk)およびBlu-ray(登録商標)ディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれる。
【０２０６】
本明細書の説明は、当業者が本開示を作成または使用することを可能にするために提供される。本開示に対する様々な修正は、当業者に容易に明らかになり、本明細書で定義された一般原理は、本開示の範囲から逸脱することなく他の変形形態に適用されてもよい。したがって、本開示は、本明細書で説明された例および設計に限定されず、本明細書で開示された原理および新規の特徴と一致する最も広い範囲を与えられるべきである。
【符号の説明】
【０２０７】
105  基地局
110  カバレッジエリア
115  UE
125  通信リンク
130  コアネットワーク
132  バックホールリンク
134  バックホールリンク
205  ビーム
305  シンボル期間
310  部分
315  TRS
320  PBCH
325  PSS
330  SSS
405  シンボル期間
410  部分
415  TRS
420  PBCH
425  PSS
430  SSS
605  ワイヤレスデバイス
610  レシーバ
615  UE追跡マネージャ
620  トランスミッタ
705  ワイヤレスデバイス
710  レシーバ
715  UE追跡マネージャ
720  トランスミッタ
725  シンボル期間コンポーネント
730  基準信号コンポーネント
735  追跡コンポーネント
815  UE追跡マネージャ
820  シンボル期間コンポーネント
825  基準信号コンポーネント
830  追跡コンポーネント
835  データチャネルコンポーネント
840  TTIコンポーネント
905  デバイス
910  バス
915  UE追跡マネージャ
920  プロセッサ
925  メモリ
930  ソフトウェア
935  トランシーバ
940  アンテナ
945  I/Oコントローラ
1005  ワイヤレスデバイス
1010  レシーバ
1015  基地局追跡マネージャ
1020  トランスミッタ
1105  ワイヤレスデバイス
1110  レシーバ
1115  基地局追跡マネージャ
1120  トランスミッタ
1125  同期コンポーネント
1130  基準信号トランスミッタ
1215  基地局追跡マネージャ
1220  同期コンポーネント
1225  基準信号トランスミッタ
1230  モードコンポーネント
1235  データチャネルトランスミッタ
1240  追跡TTIコンポーネント
1305  デバイス
1310  バス
1315  基地局追跡マネージャ
1320  プロセッサ
1325  メモリ
1330  ソフトウェア
1335  トランシーバ
1340  アンテナ
1345  ネットワーク通信マネージャ
1350  基地局通信マネージャ
【図１】
2020505876.tif 000003
【図２】
2020505876.tif 000004
【図３】
2020505876.tif 000005
【図４】
2020505876.tif 000006
【図５】
2020505876.tif 000007
【図６】
2020505876.tif 000008
【図７】
2020505876.tif 000009
【図８】
2020505876.tif 000010
【図９】
2020505876.tif 000011
【図１０】
2020505876.tif 000012
【図１１】
2020505876.tif 000013
【図１２】
2020505876.tif 000014
【図１３】
2020505876.tif 000015
【図１４】
2020505876.tif 000016
【図１５】
2020505876.tif 000017
【図１６】
2020505876.tif 000018
【図１７】
2020505876.tif 000019
【図１８】
2020505876.tif 000020
【図１９】
2020505876.tif 000021
【図２０】
2020505876.tif 000022
【図２１】
2020505876.tif 000023
【国際調査報告】
2020505876.tif 000024
2020505876.tif 000025
2020505876.tif 000026